(57)【特許請求の範囲】
【請求項１】
無線通信システムにおいてＵＥ（user equipment）により行われる信号の送受信の方法であって、
端末能力情報をネットワークに送信するステップであって、前記端末能力情報は、
（ｉ）下りリンク／上りリンクＴＴＩ（Transmission Time Interval）長の組み合わせの第１プロセシング時間の間に更新され得るＣＳＩ（Channel State Information）プロセスの最大数に関する第１情報と、
（ｉｉ）前記下りリンク／上りリンクＴＴＩ長の組み合わせの第２プロセシング時間の間に更新され得るＣＳＩプロセスの最大数に関する第２情報と、の両方を含む、ステップと、
一つ以上のＣＳＩプロセスに対する更新要求を前記ネットワークから受信するステップであって、前記一つ以上のＣＳＩプロセスの数は、前記端末能力情報によって報告されるＣＳＩプロセスの数より大きくない、ステップと、を含み、
前記下りリンク／上りリンクＴＴＩ長の組み合わせは、前記第１情報及び前記第２情報に対して同一であり、
前記第１プロセシング時間及び前記第２プロセシング時間は、互いに異なる、方法。
【請求項２】
前記下りリンク／上りリンクＴＴＩ長の組み合わせは、サブスロット／サブスロットであり、
前記端末能力情報は、
スロット／スロットとして下りリンク／上りリンクＴＴＩ長の組み合わせの間に更新され得るＣＳＩプロセスの最大数に関する第３情報と、
サブスロット／スロットとして下りリンク／上りリンクＴＴＩ長の組み合わせの間に更新され得るＣＳＩプロセスの最大数に関する第４情報と、を含む、請求項１に記載の方法。
【請求項３】
ＭＣＳ（modulation and coding scheme）に関連するＲＮＴＩ（radio network temporary identity）を設定するステップと、
上りリンクデータチャネルの送信又は下りリンクデータチャネルの受信をスケジュールするための制御チャネルを受信するステップと、
複数のＭＣＳテーブルの一つに基づいて、前記上りリンクデータチャネルを送信又は前記下りリンクデータチャネルを受信するステップであって、前記上りリンクデータチャネル又は前記下りリンクデータチャネルは、前記制御チャネルによってスケジュールされる、ステップと、をさらに含み、
前記複数のＭＣＳテーブルの前記一つは、前記ＭＣＳに関連する前記ＲＮＴＩ及び前記制御チャネルに関連するＲＮＴＩに基づいて決定される、請求項１に記載の方法。
【請求項４】
前記複数のＭＣＳテーブルの前記一つは、上位層シグナリングによって受信され前記ＵＥのために使用されるＭＣＳテーブルに関連するＱＡＭ（quadrature amplitude modulation）のための情報に基づいて決定される、請求項３に記載の方法。
【請求項５】
前記ＭＣＳに関連する前記ＲＮＴＩは、ＭＣＳ−Ｃ−ＲＮＴＩ（MCS-cell-RNTI）であり、
前記複数のＭＣＳテーブルの前記一つは、前記ＭＣＳ−Ｃ−ＲＮＴＩであり前記制御チャネルに関連する前記ＲＮＴＩと、２５６ＱＡＭ、６４ＱＡＭ又はそれ未満に対する、前記ＵＥのために使用されるＭＣＳテーブルに関連するＱＡＭのための前記情報とに基づいて決定される、請求項４に記載の方法。
【請求項６】
前記ＵＥは、前記制御チャネルに含まれたＭＣＳフィールド及び前記複数のＭＣＳテーブルの前記一つに基づいて、ＰＤＳＣＨ（physical downlink shared channel）の受信に使用される変調次数とターゲットコード率とを決定する、請求項３に記載の方法。
【請求項７】
前記制御チャネルに関連する前記ＲＮＴＩは、ＢＬＥＲ（BLock Error Rate）に基づいて決定される、請求項３に記載の方法。
【請求項８】
前記複数のＭＣＳテーブルの前記一つは、
前記制御チャネルのＤＣＩ（Downlink control Information）フォーマットの少なくとも一つをさらに考慮して、及び／又は、
前記上りリンクデータチャネル又は前記下りリンクデータチャネルに対して設定されているＳＰＳ（semi-persistent scheduling）にさらに基づいて、決定される、請求項３に記載の方法。
【請求項９】
無線通信システムにおいて行われる信号の送受信のためのＵＥ（user equipment）であって、
送受信器と、
前記送受信器を制御するように設定されるプロセッサと、を含み、
前記プロセッサは：
端末能力情報をネットワークに送信するように前記送受信器を制御し、前記端末能力情報は、
（ｉ）下りリンク／上りリンクＴＴＩ（Transmission Time Interval）長の組み合わせのために設定される第１プロセシング時間に基づいて更新され得るＣＳＩ（Channel State Information）プロセスの最大数に関する第１情報と、
（ｉｉ）前記下りリンク／上りリンクＴＴＩ長の組み合わせのために設定される第２プロセシング時間に基づいて更新され得るＣＳＩプロセスの最大数に関する第２情報と、の両方を含み、
一つ以上のＣＳＩプロセスに対する更新要求を前記ネットワークから受信するように前記送受信器を制御し、前記一つ以上のＣＳＩプロセスの数は、前記端末能力情報によって報告されるＣＳＩプロセスの数より大きくない、ように設定され、
前記下りリンク／上りリンクＴＴＩ長の組み合わせは、前記第１情報及び前記第２情報に対して同一であり、
前記第１プロセシング時間及び前記第２プロセシング時間は、互いに異なる、ＵＥ。
【請求項１０】
前記下りリンク／上りリンクＴＴＩ長の組み合わせは、サブスロット／サブスロットであり、
前記端末能力情報は、
スロット／スロットとして下りリンク／上りリンクＴＴＩ長の組み合わせの間に更新され得るＣＳＩプロセスの最大数に関する第３情報と、
サブスロット／スロットとして下りリンク／上りリンクＴＴＩ長の組み合わせの間に更新され得るＣＳＩプロセスの最大数に関する第４情報と、を含む、請求項９に記載のＵＥ。
【請求項１１】
前記プロセッサは、
ＭＣＳ（Modulation and Coding Scheme）に関連するＲＮＴＩ（Radio Network Temporary Identity）を設定し、
上りリンクデータチャネルの送信又は下りリンクデータチャネルの受信をスケジュールするための制御チャネルを受信するように前記送受信器を制御し、
複数のＭＣＳテーブルの一つに基づいて、前記上りリンクデータチャネルを送信又は前記下りリンクデータチャネルを受信するように前記送受信器を制御し、前記上りリンクデータチャネル又は前記下りリンクデータチャネルは、前記制御チャネルによってスケジュールされる、ようにさらに設定され、
前記複数のＭＣＳテーブルの前記一つは、前記ＭＣＳに関連する前記ＲＮＴＩ及び前記制御チャネルに関連するＲＮＴＩに基づいて決定される、請求項９に記載のＵＥ。
【請求項１２】
前記複数のＭＣＳテーブルの前記一つは、上位層シグナリングによって受信され前記ＵＥのために使用されるＭＣＳテーブルに関連するＱＡＭ（quadrature amplitude modulation）のための情報に基づいて決定される、請求項１１に記載のＵＥ。
【請求項１３】
前記ＭＣＳに関連する前記ＲＮＴＩは、ＭＣＳ−Ｃ−ＲＮＴＩ（MCS-cell-RNTI）であり、
前記プロセッサは、前記ＭＣＳ−Ｃ−ＲＮＴＩであり前記制御チャネルに関連する前記ＲＮＴＩと、２５６ＱＡＭ、６４ＱＡＭ又はそれ未満に対する、前記ＵＥのために使用されるＭＣＳテーブルに関連するＱＡＭのための前記情報とに基づいて、前記複数のＭＣＳテーブルの前記一つを決定するように設定される、請求項１２に記載のＵＥ。
【請求項１４】
前記プロセッサは、前記制御チャネルに含まれたＭＣＳフィールド及び前記複数のＭＣＳテーブルの前記一つに基づいて、ＰＤＳＣＨ（physical downlink shared channel）の受信に使用される変調次数とターゲットコード率とを決定するように設定される、請求項１１に記載のＵＥ。
【請求項１５】
前記制御チャネルに関連する前記ＲＮＴＩは、ＢＬＥＲ（BLock Error Rate）に基づいて決定される、請求項１１に記載のＵＥ。
【請求項１６】
前記複数のＭＣＳテーブルの前記一つは、
前記制御チャネルのＤＣＩ（Downlink control Information）フォーマットの少なくとも一つをさらに考慮して、及び／又は、
前記上りリンクデータチャネル又は前記下りリンクデータチャネルに対して設定されているＳＰＳ（semi-persistent scheduling）にさらに基づいて、決定される、請求項１１に記載のＵＥ。
【発明の詳細な説明】
【技術分野】
【０００１】
本発明は無線通信システムに関し、信号を送受信する方法及び装置に関する。
【背景技術】
【０００２】
無線アクセスシステムが音声やデータなどの種々の通信サービスを提供するために広範囲に展開されている。一般に、無線アクセスシステムは利用可能なシステムリソース（帯域幅、送信電力など）を共有して複数のユーザとの通信を支援できる多元接続（ｍｕｌｔｉｐｌｅ ａｃｃｅｓｓ）システムである。多元接続システムの例には、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。
【０００３】
かかる通信システムにおいて、パケットデータの遅延（ｌａｔｅｎｃｙ）は重要な性能メトリック（ｍｅｔｒｉｃ）の一つであり、これを減らして、より早いインターネットアクセスを最終ユーザ（ｅｎｄ ｕｓｅｒ）に提供することは、ＬＴＥのみならず、次世代移動通信システム、いわゆる新ラット（ｎｅｗ ＲＡＴ）の設計においても重要な課題の一つといえる。
【０００４】
本発明は、かかる遅延の減少を支援する無線通信システムにおける信号送信又は受信方式に関する。
【発明の概要】
【発明が解決しようとする課題】
【０００５】
本発明が遂げようとする技術的課題は、無線通信システムにおいて、効率的に端末状態を報告し、下りリンク信号を受信又は上りリンク信号を送信するための端末の信号送受信方法及びそのための装置を提供することにある。
【０００６】
本発明の技術的目的は上記技術的課題に制限されず、他の技術的課題も本発明の実施例から類推されることができる。
【課題を解決するための手段】
【０００７】
本発明は、無線通信システムにおける信号送受信方法及び装置を提供する。
【０００８】
本発明の一態様として、無線通信システムにおいて端末により行われる信号送受信方法であって、ＭＣＳ（Ｍｏｄｕｌａｔｉｏｎ ａｎｄ Ｃｏｄｉｎｇ Ｓｃｈｅｍｅ）に関連するＲＮＴＩ（Ｒａｄｉｏ Ｎｅｔｗｏｒｋ Ｔｅｍｐｏｒａｒｙ Ｉｄｅｎｔｉｔｙ）を設定する段階と、上りリンクデータチャネルの送信又は下りリンクデータチャネルの受信をスケジュールするための制御チャネルを受信する段階と、複数のＭＣＳテーブルのうちの一つのＭＣＳテーブルに基づいて、制御チャネルによりスケジュールされた、上りリンクデータチャネルを送信するか又は下りリンクデータチャネルを受信する段階と、を含み、一つのＭＣＳテーブルは、ＭＣＳに関連するＲＮＴＩ及び制御チャネルに関連するＲＮＴＩに基づいて決定される、信号送受信方法を提案する。
【０００９】
本発明の他の態様として、無線通信システムにおいて信号を送受信する端末であって、送受信器と、送受信器を制御するプロセッサと、を含み、プロセッサはＭＣＳ（Ｍｏｄｕｌａｔｉｏｎ ａｎｄ Ｃｏｄｉｎｇ Ｓｃｈｅｍｅ）に関連するＲＮＴＩ（Ｒａｄｉｏ Ｎｅｔｗｏｒｋ Ｔｅｍｐｏｒａｒｙ Ｉｄｅｎｔｉｔｙ）を設定し、送受信器を制御して上りリンクデータチャネルの送信又は下りリンクデータチャネルの受信をスケジュールするための制御チャネルを受信し、送受信器を制御して複数のＭＣＳテーブル（Ｍｏｄｕｌａｔｉｏｎ ａｎｄ Ｃｏｄｉｎｇ Ｓｃｈｅｍｅ ｔａｂｌｅ）のうちの一つのＭＣＳテーブルに基づいて、制御チャネルによりスケジュールされた、上りリンクデータチャネルを送信するか又は下りリンクデータチャネルを受信するように設定され、一つのＭＣＳテーブルは、ＭＣＳに関連するＲＮＴＩ及び制御チャネルに関連するＲＮＴＩ（Ｒａｄｉｏ Ｎｅｔｗｏｒｋ Ｔｅｍｐｏｒａｒｙ Ｉｄｅｎｔｉｔｙ）に基づいて決定される、端末を提案する。
【００１０】
上記方法又は装置において、一つのＭＣＳテーブルは、上位層シグナリングにより受信された、端末がどのＱＡＭ（Ｑｕａｄｒａｔｕｒｅ Ａｍｐｌｉｔｕｄｅ Ｍｏｄｕｌａｔｉｏｎ）に関連するＭＣＳテーブルを使用するかに関する情報に基づいて決定される。
【００１１】
上記方法又は装置において、ＭＣＳに関連するＲＮＴＩはＭＣＳ−Ｃ−ＲＮＴＩ（ＭＣＳ−ｃｅｌｌ−ＲＮＴＩ）である。また端末は、制御チャネルに関連するＲＮＴＩがＭＣＳ−Ｃ−ＲＮＴＩであるか否か、及び端末がどのＱＡＭに関連するＭＣＳテーブルを使用するかに関する情報が２５６ＱＡＭに関連するＭＣＳテーブルを使用するように設定されたか、又は６４ＱＡＭ以下に関連するＭＣＳテーブルを使用するように設定されたかに基づいて、一つのＭＣＳテーブルを決定する。
【００１２】
上記方法又は装置において、端末は、制御チャネルに含まれたＭＣＳフィールド（ＭＣＳ ｆｉｅｌｄ）及び一つのＭＣＳテーブルに基づいてＰＤＳＣＨ受信に使用される変調次数とターゲットコード率（ｔａｒｇｅｔ ｃｏｄｅ ｒａｔｅ）を決定する。
【００１３】
上記方法又は装置において、制御チャネルに関連するＲＮＴＩは、ＢＬＥＲ（ＢＬｏｃｋ Ｅｒｒｏｒ Ｒａｔｅ）に基づいて決定される。
【００１４】
上記方法又は装置において、一つのＭＣＳテーブルは、制御チャネルのＤＣＩ（Ｄｏｗｎｌｉｎｋ ｃｏｎｔｒｏｌ Ｉｎｆｏｒｍａｔｉｏｎ）フォーマット及び／又は上りリンクデータチャネル又は下りリンクデータチャネルに対するＳＰＳ（ｓｅｍｉ−ｐｅｒｓｉｓｔｅｎｔ ｓｃｈｅｄｕｌｉｎｇ）の設定有無のうち、いずれか一つ以上をさらに考慮して決定される。
【００１５】
上記方法又は装置において、端末はネットワークにより端末能力情報を送信する。端末能力情報は、下りリンク／上りリンクＴＴＩ（ｔｒａｎｓｍｉｓｓｉｏｎ Ｔｉｍｅ Ｉｎｔｅｒｖａｌ）長の各組み合わせごとに、更新（ｕｐｄａｔｅ）可能なＣＳＩプロセス（Ｃｈａｎｎｅｌ Ｓｔａｔｅ Ｉｎｆｏｒｍａｔｉｏｎ Ｐｒｏｃｅｓｓ）の数に関する情報を含む。
【００１６】
上記方法又は装置において、下りリンク／上りリンクＴＴＩ長の各組み合わせごとに、更新可能なＣＳＩプロセスの数に関する情報は、下りリンク／上りリンクＴＴＩ長の組み合わせがスロット／スロットである場合に対するＣＳＩプロセスの数を示す第１指示子、
【００１７】
下りリンク／上りリンクＴＴＩ長の組み合わせがサブスロット／スロットである場合に対するＣＳＩプロセスの数を示す第２指示子、下りリンク／上りリンクＴＴＩ長の組み合わせがサブスロット／サブスロットであり、第１プロセシング時間（ｐｒｏｃｅｓｓｉｎｇ ｔｉｍｅ）が設定された場合に対するＣＳＩプロセスの数を示す第３指示子、及び下りリンク／上りリンクＴＴＩ長の組み合わせがサブスロット／サブスロットであり、第２プロセシング時間が設定された場合に対するＣＳＩプロセスの数を示す第４指示子を含む。
【００１８】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００１９】
本発明の一実施例によれば、チャネルごとの要求事項を考慮してより効率的に端末状態を報告し、下りリンク信号を受信又は上りリンク信号を送信することができるという長所がある。
【００２０】
本発明の技術的効果は上記技術的効果に制限されず、他の技術的効果も本発明の実施例から類推されることができる。
【図面の簡単な説明】
【００２１】
【図１】無線通信システムで使用される無線フレーム構造の一例を示す図である。
【図２】無線通信システムにおいて下りリンク／上りリンク（ＤＬ／ＵＬ）スロット構造の一例を示す図である。
【図３】３ＧＰＰ ＬＴＥ／ＬＴＥ−Ａシステムで使用される下りリンク（ｄｏｗｎｌｉｎｋ、ＤＬ）サブフレームの構造を例示する図である。
【図４】３ＧＰＰ ＬＴＥ／ＬＴＥ−Ａシステムで使用される上りリンク（ｕｐｌｉｎｋ、ＵＬ）サブフレームの構造を例示する図である。
【図５】ユーザプレーンの遅延（ｌａｔｅｎｃｙ）減少によるＴＴＩ長の減少を示す図である。
【図６】一つのサブフレーム内に複数の短いＴＴＩが設定された例を示す図である。
【図７】複数の長さ（シンボル数）を有する短いＴＴＩで構成されたＤＬサブフレーム構造を示す図である。
【図８】２個又は３個のシンボルの短いＴＴＩで構成されたＤＬサブフレーム構造を示す図である。
【図９】本発明に適用可能な自立的スロット構造（ｓｅｌｆ−ｃｏｎｔａｉｎｅｄ Ｓｌｏｔ ｓｔｒｕｃｔｕｒｅ）を示す図である。
【図１０】本発明の実施例による方法に関する概念図である。
【図１１】本発明の実施例による装置を示す図である。
【発明を実施するための形態】
【００２２】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２３】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２４】
本発明において、ユーザ機器（ｕｓｅｒ ｅｑｕｉｐｍｅｎｔ，ＵＥ）は、固定していても、移動性を有していてもよいもので、基地局（ｂａｓｅ ｓｔａｔｉｏｎ，ＢＳ）と通信してユーザデータ及び／又は各種制御情報を送受信する各種機器を含む。ＵＥを、端末（Ｔｅｒｍｉｎａｌ Ｅｑｕｉｐｍｅｎｔ）、ＭＳ（Ｍｏｂｉｌｅ Ｓｔａｔｉｏｎ）、ＭＴ（Ｍｏｂｉｌｅ Ｔｅｒｍｉｎａｌ）、ＵＴ（Ｕｓｅｒ Ｔｅｒｍｉｎａｌ）、ＳＳ（Ｓｕｂｓｃｒｉｂｅ Ｓｔａｔｉｏｎ）、無線機器（ｗｉｒｅｌｅｓｓ ｄｅｖｉｃｅ）、ＰＤＡ（Ｐｅｒｓｏｎａｌ Ｄｉｇｉｔａｌ Ａｓｓｉｓｔａｎｔ）、無線モデム（ｗｉｒｅｌｅｓｓ ｍｏｄｅｍ）、携帯機器（ｈａｎｄｈｅｌｄ ｄｅｖｉｃｅ）などと呼ぶこともできる。また、本発明において、ＢＳは一般に、ＵＥ及び／又は他のＢＳと通信する固定局（ｆｉｘｅｄ ｓｔａｔｉｏｎ）を意味し、ＵＥ及び他のＢＳと通信して各種データ及び制御情報を交換する。ＢＳを、ＡＢＳ（Ａｄｖａｎｃｅｄ Ｂａｓｅ Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ Ｔｒａｎｓｃｅｉｖｅｒ Ｓｙｓｔｅｍ）、アクセスポイント（Ａｃｃｅｓｓ Ｐｏｉｎｔ）、ＰＳ（Ｐｒｏｃｅｓｓｉｎｇ Ｓｅｒｖｅｒ）、送信ポイント（ｔｒａｎｓｍｉｓｓｉｏｎ ｐｏｉｎｔ；ＴＰ）などと呼ぶこともできる。以下の本発明に関する説明では、ＢＳをｅＮＢと称する。
【００２５】
本発明でいうノード（ｎｏｄｅ）とは、ユーザ機器と通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ ｒｅｍｏｔｅ ｈｅａｄ，ＲＲＨ）、無線リモートユニット（ｒａｄｉｏ ｒｅｍｏｔｅ ｕｎｉｔ，ＲＲＵ）であってもよい。ＲＲＨ、ＲＲＵなどは一般にｅＮＢの電力レベル（ｐｏｗｅｒ ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。一つのノードには少なくとも一つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して一つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ ａｎｔｅｎｎａ ｓｙｓｔｅｍ，ＣＡＳ）（すなわち、単一ノードシステム）と違い、複数ノードシステムにおいて複数のノードは一般に一定間隔以上で離れて位置する。これらの複数のノードは、各ノードの動作を制御したり、各ノードを通して送信／受信されるデータをスケジューリングする一つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ ｌｉｎｅ）で接続することができる。複数ノードシステムにおいて、複数のノードへの／からの信号送信／受信には、同一のセル識別子（ｉｄｅｎｔｉｔｙ，ＩＤ）が用いられてもよく、異なるセルＩＤが用いられてもよい。複数のノードが同一のセルＩＤを有すると、これら複数のノードのそれぞれは、一つのセルにおける一部のアンテナ集団のように動作する。複数ノードシステムにおいてノードが互いに異なるセルＩＤを有すると、このような複数ノードシステムを複数セル（例えば、マクロセル／フェムトセル／ピコセル）システムと見なすことができる。複数のノードのそれぞれが形成した複数セルがカバレッジによってオーバーレイする形態で構成されると、これらの複数セルが形成したネットワークを特に複数層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２６】
以下に説明する本発明の複数ノードシステムにおいて、複数のノードに接続した一つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現化の形態などによって、複数ノードシステム間には相違点があるが、複数のノードが共に所定の時間−周波数リソース上でＵＥに通信サービスを提供するために参加するという点で、これらの複数ノードシステムは単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々の複数ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２７】
複数の送信（Ｔｘ）／受信（Ｒｘ）ノードを介して信号を送信／受信したり、複数の送信／受信ノードから選択された少なくとも一つのノードを介して信号を送信／受信したり、下りリンク信号を送信するノードと上りリンク信号を受信するノードとを別にし得る通信技法を、複数ｅＮＢ ＭＩＭＯ又はＣｏＭＰ（Ｃｏｏｒｄｉｎａｔｅｄ Ｍｕｌｔｉ−Ｐｏｉｎｔ ＴＸ／ＲＸ）という。このようなノード間協調通信のうち、協調送信技法は、ＪＰ（ｊｏｉｎｔ ｐｒｏｃｅｓｓｉｎｇ）とスケジューリング協調（ｓｃｈｅｄｕｌｉｎｇ ｃｏｏｒｄｉｎａｔｉｏｎ）とに区別できる。前者はＪＴ（ｊｏｉｎｔ ｔｒａｎｓｍｉｓｓｉｏｎ）／ＪＲ（ｊｏｉｎｔ ｒｅｃｅｐｔｉｏｎ）とＤＰＳ（ｄｙｎａｍｉｃ ｐｏｉｎｔ ｓｅｌｅｃｔｉｏｎ）とに区別でき、後者はＣＳ（ｃｏｏｒｄｉｎａｔｅｄ ｓｃｈｅｄｕｌｉｎｇ）とＣＢ（ｃｏｏｒｄｉｎａｔｅｄ ｂｅａｍｆｏｒｍｉｎｇ）とに区別できる。ＤＰＳは、ＤＣＳ（ｄｙｎａｍｉｃ ｃｅｌｌ ｓｅｌｅｃｔｉｏｎ）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定の規則によって選択された一つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２８】
本発明でいうセル（ｃｅｌｌ）とは、一つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ ｃｅｌｌ）という。また、特定セルのチャネル状態／品質は、該特定セルに通信サービスを提供するｅＮＢ或いはノードとＵＥとの間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ ｃｏｎｆｉｇｕｒａｔｉｏｎ）、サブフレームオフセット（ｏｆｆｓｅｔ）及び送信周期（ｔｒａｎｓｍｉｓｓｉｏｎ ｐｅｒｉｏｄ）などによってＣＳＩ−ＲＳが割り当てられたサブフレームを特定するサブフレーム構成（ｓｕｂｆｒａｍｅ ｃｏｎｆｉｇｕｒａｔｉｏｎ）、ＣＳＩ−ＲＳシーケンスのうちの少なくとも一つが互いに異なることを意味する。
【００２９】
本発明において、ＰＤＣＣＨ（Ｐｈｙｓｉｃａｌ Ｄｏｗｎｌｉｎｋ Ｃｏｎｔｒｏｌ ＣＨａｎｎｅｌ）／ＰＣＦＩＣＨ（Ｐｈｙｓｉｃａｌ Ｃｏｎｔｒｏｌ Ｆｏｒｍａｔ Ｉｎｄｉｃａｔｏｒ ＣＨａｎｎｅｌ）／ＰＨＩＣＨ（Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ）／ＰＤＳＣＨ（Ｐｈｙｓｉｃａｌ Ｄｏｗｎｌｉｎｋ Ｓｈａｒｅｄ ＣＨａｎｎｅｌ）はそれぞれ、ＤＣＩ（Ｄｏｗｎｌｉｎｋ Ｃｏｎｔｒｏｌ Ｉｎｆｏｒｍａｔｉｏｎ）／ＣＦＩ（Ｃｏｎｔｒｏｌ Ｆｏｒｍａｔ Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ ＡＣＫ）／下りリンクデータを運ぶ時間−周波数リソースの集合或いはリソースエレメントの集合を意味する。また、ＰＵＣＣＨ（Ｐｈｙｓｉｃａｌ Ｕｐｌｉｎｋ Ｃｏｎｔｒｏｌ ＣＨａｎｎｅｌ）／ＰＵＳＣＨ（Ｐｈｙｓｉｃａｌ Ｕｐｌｉｎｋ Ｓｈａｒｅｄ ＣＨａｎｎｅｌ）／ＰＲＡＣＨ（Ｐｈｙｓｉｃａｌ Ｒａｎｄｏｍ Ａｃｃｅｓｓ ＣＨａｎｎｅｌ）はそれぞれ、ＵＣＩ（Ｕｐｌｉｎｋ Ｃｏｎｔｒｏｌ Ｉｎｆｏｒｍａｔｉｏｎ）／上りリンクデータ／ランダムアクセス信号を運ぶ時間−周波数リソースの集合或いはリソースエレメントの集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソースエレメント（Ｒｅｓｏｕｒｃｅ Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３０】
図１は、無線通信システムで用いられる無線フレーム構造の一例を示す図である。特に、図１（ａ）は、３ＧＰＰ ＬＴＥ／ＬＴＥ−Ａシステムで用いられる周波数分割複信（ｆｒｅｑｕｅｎｃｙ ｄｉｖｉｓｉｏｎ ｄｕｐｌｅｘ，ＦＤＤ）用フレーム構造を示しており、図１（ｂ）は、３ＧＰＰ ＬＴＥ／ＬＴＥ−Ａシステムで用いられる時分割複信（ｔｉｍｅ ｄｉｖｉｓｉｏｎ ｄｕｐｌｅｘ，ＴＤＤ）用フレーム構造を示している。
【００３１】
図１を参照すると、３ＧＰＰ ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ，ＳＦ）で構成される。１無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次与えることができる。それぞれのスロットは０．５ｍｓの長さを有する。１サブフレームを送信するための時間は、送信時間間隔（ｔｒａｎｓｍｉｓｓｉｏｎ ｔｉｍｅ ｉｎｔｅｒｖａｌ，ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００３２】
無線フレームは、デュプレックス（ｄｕｐｌｅｘ）技法によって別々に構成（ｃｏｎｆｉｇｕｒｅ）することができる。例えば、ＦＤＤモードにおいて、下りリンク送信及び上りリンク送信は周波数によって区別されるため、無線フレームは特定周波数帯域に対して下りリンクサブフレーム又は上りリンクサブフレームのいずれか一つのみを含む。ＴＤＤモードでは下りリンク送信及び上りリンク送信が時間によって区別されるため、特定周波数帯域に対して無線フレームは下りリンクサブフレームも上りリンクサブフレームも含む。
【００３３】
表１はＴＤＤモードで無線フレームにおけるサブフレームのＤＬ−ＵＬ構成（ｃｏｎｆｉｇｕｒａｔｉｏｎ）を例示する。
【００３４】
【表１】
0006940684.tif 000002
【００３５】
表１において、Ｄは下りリンクサブフレームを、Ｕは上りリンクサブフレームを、Ｓはスペシャル（ｓｐｅｃｉａｌ）サブフレームを表す。スペシャルサブフレームは、ＤｗＰＴＳ（Ｄｏｗｎｌｉｎｋ Ｐｉｌｏｔ ＴｉｍｅＳｌｏｔ）、ＧＰ（Ｇｕａｒｄ Ｐｅｒｉｏｄ）、ＵｐＰＴＳ（Ｕｐｌｉｎｋ Ｐｉｌｏｔ ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２はスペシャルサブフレーム構成（ｃｏｎｆｉｇｕｒａｔｉｏｎ）を例示する。
【００３６】
【表２】
0006940684.tif 000003
【００３７】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソースグリッド（ｒｅｓｏｕｒｃｅ ｇｒｉｄ）の構造を示す。アンテナポート当たり１つのリソースグリッドがある。
【００３８】
図２を参照すると、スロットは、時間ドメインで複数のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボルを含み、周波数ドメインで複数のリソースブロック（ｒｅｓｏｕｒｃｅ ｂｌｏｃｋ，ＲＢ）を含む。ＯＦＤＭシンボルは、１シンボル区間を意味することもある。図２を参照すると、各スロットで送信される信号は、
0006940684.tif 000004
の副搬送波（ｓｕｂｃａｒｒｉｅｒ）と
0006940684.tif 000005
のＯＦＤＭシンボルとで構成されるリソースグリッド（ｒｅｓｏｕｒｃｅ ｇｒｉｄ）と表現することができる。ここで、
0006940684.tif 000006
は、下りリンクスロットにおけるリソースブロック（ｒｅｓｏｕｒｃｅ ｂｌｏｃｋ，ＲＢ）の個数を表し、
0006940684.tif 000007
は、ＵＬスロットにおけるＲＢの個数を表す。
0006940684.tif 000008
と
0006940684.tif 000009
は、ＤＬ送信帯域幅とＵＬ送信帯域幅にそれぞれ依存する。
0006940684.tif 000010
は、下りリンクスロットにおけるＯＦＤＭシンボルの個数を表し、
0006940684.tif 000011
は、ＵＬスロットにおけるＯＦＤＭシンボルの個数を表す。
0006940684.tif 000012
は、一つのＲＢを構成する副搬送波の個数を表す。
【００３９】
ＯＦＤＭシンボルは、多元接続方式によって、ＯＦＤＭシンボル、ＳＣ−ＦＤＭ（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅｘｉｎｇ）シンボルなどと呼ぶことができる。一つのスロットに含まれるＯＦＤＭシンボルの数は、チャネル帯域幅、ＣＰ（ｃｙｃｌｉｃ ｐｒｅｆｉｘ）長によって様々に変更可能である。例えば、正規（ｎｏｒｍａｌ）ＣＰの場合は、一つのスロットが７個のＯＦＤＭシンボルを含むが、拡張（ｅｘｔｅｎｄｅｄ）ＣＰの場合は、一つのスロットが６個のＯＦＤＭシンボルを含む。図２では、説明の便宜のために、一つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
0006940684.tif 000013
の副搬送波を含む。副搬送波の類型は、データ送信のためのデータ副搬送波、参照信号（ｒｅｆｅｒｅｎｃｅ ｓｉｇｎａｌ）の送信のための参照信号副搬送波、ガードバンド（ｇｕａｒｄ ｂａｎｄ）及び直流（Ｄｉｒｅｃｔ Ｃｕｒｒｅｎｔ，ＤＣ）成分のためのヌル（ｎｕｌｌ）副搬送波に分類することができる。ＤＣ成分のためのヌル副搬送波は、未使用のまま残される副搬送波であり、ＯＦＤＭ信号生成過程或いは周波数上り変換過程で搬送波周波数（ｃａｒｒｉｅｒ ｆｒｅｑｕｅｎｃｙ，ｆ０）にマッピング（ｍａｐｐｉｎｇ）される。搬送波周波数は中心周波数（ｃｅｎｔｅｒ ｆｒｅｑｕｅｎｃｙ）と呼ばれることもある。
【００４０】
１ＲＢは、時間ドメインで
0006940684.tif 000014
（例えば、７個）の連続するＯＦＤＭシンボルと定義され、周波数ドメインで
0006940684.tif 000015
（例えば、１２個）の連続する副搬送波と定義される。参考として、一つのＯＦＤＭシンボルと一つの副搬送波で構成されたリソースをリソースエレメント（ｒｅｓｏｕｒｃｅ ｅｌｅｍｅｎｔ，ＲＥ）或いはトーン（ｔｏｎｅ）という。したがって、一つのＲＢは、
0006940684.tif 000016
のリソースエレメントで構成される。リソースグリッドにおける各リソースエレメントは、一つのスロットにおけるインデックス対（ｋ，１）によって固有に定義できる。ｋは、周波数ドメインで０から
0006940684.tif 000017
まで与えられるインデックスであり、ｌは、時間ドメインで０から
0006940684.tif 000018
まで与えられるインデックスである。
【００４１】
１サブフレームにおいて
0006940684.tif 000019
の連続した同一副搬送波を占有しながら、当該サブフレームにおける２個のスロットのそれぞれに一つずつ位置する２個のＲＢを物理リソースブロック（ｐｈｙｓｉｃａｌ ｒｅｓｏｕｒｃｅ ｂｌｏｃｋ，ＰＲＢ）対（ｐａｉｒ）という。ＰＲＢ対を構成する２個のＲＢは、同一のＰＲＢ番号（或いは、ＰＲＢインデックス（ｉｎｄｅｘ）ともいう）を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マッピングされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０から
0006940684.tif 000020
の順に番号が与えられ、
0006940684.tif 000021
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２個のスロットに一つずつ位置し、同一のＶＲＢ番号を有する２個のＰＲＢをＶＲＢ対と称する。
【００４２】
図３は、３ＧＰＰ ＬＴＥ／ＬＴＥ−Ａシステムで用いられる下りリンク（ｄｏｗｎｌｉｎｋ，ＤＬ）サブフレーム構造を例示する図である。
【００４３】
図３を参照すると、ＤＬサブフレームは、時間ドメインで制御領域（ｃｏｎｔｒｏｌ ｒｅｇｉｏｎ）とデータ領域（ｄａｔａ ｒｅｇｉｏｎ）とに区別される。図３を参照すると、サブフレームの第１のスロットで先頭部における最大３個（或いは４個）のＯＦＤＭシンボルは、制御チャネルが割り当てられる制御領域（ｃｏｎｔｒｏｌ ｒｅｇｉｏｎ）に対応する。以下、ＤＬサブフレームでＰＤＣＣＨ送信に利用可能なリソース領域（ｒｅｓｏｕｒｃｅ ｒｅｇｉｏｎ）をＰＤＣＣＨ領域と称する。制御領域に用いられるＯＦＤＭシンボル以外のＯＦＤＭシンボルは、ＰＤＳＣＨ（Ｐｈｙｓｉｃａｌ Ｄｏｗｎｌｉｎｋ Ｓｈａｒｅｄ ＣＨａｎｃｅｌ）が割り当てられるデータ領域（ｄａｔａ ｒｅｇｉｏｎ）に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例は、ＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ）、ＰＤＣＣＨ（Ｐｈｙｓｉｃａｌ Ｄｏｗｎｌｉｎｋ Ｃｏｎｔｒｏｌ Ｃｈａｎｎｅｌ）、ＰＨＩＣＨ（Ｐｈｙｓｉｃａｌ ｈｙｂｒｉｄ ＡＲＱ ｉｎｄｉｃａｔｏｒ Ｃｈａｎｎｅｌ）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ Ａｕｔｏｍａｔｉｃ Ｒｅｐｅａｔ Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４４】
ＰＤＣＣＨを介して送信される制御情報を下りリンク制御情報（ｄｏｗｎｌｉｎｋ ｃｏｎｔｒｏｌ ｉｎｆｏｒｍａｔｉｏｎ，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（ｄｏｗｎｌｉｎｋ ｓｈａｒｅｄ ｃｈａｎｎｅｌ，ＤＬ−ＳＣＨ）の送信フォーマット及びリソース割り当て情報、ＵＬ共有チャネル（ｕｐｌｉｎｋ ｓｈａｒｅｄ ｃｈａｎｎｅｌ，ＵＬ−ＳＣＨ）の送信フォーマット及びリソース割り当て情報、ページングチャネル（ｐａｇｉｎｇ ｃｈａｎｎｅｌ，ＰＣＨ）上のページング情報、ＤＬ−ＳＣＨ上のシステム情報、ＰＤＳＣＨ上で送信されるランダムアクセス応答のような上位層（ｕｐｐｅｒ ｌａｙｅｒ）制御メッセージのリソース割り当て情報、ＵＥグループ内の個別ＵＥへの送信電力制御命令（Ｔｒａｎｓｍｉｔ Ｃｏｎｔｒｏｌ Ｃｏｍｍａｎｄ Ｓｅｔ）、送信電力制御（Ｔｒａｎｓｍｉｔ Ｐｏｗｅｒ Ｃｏｎｔｒｏｌ）命令、ＶｏＩＰ（Ｖｏｉｃｅ ｏｖｅｒ ＩＰ）の活性化（ａｃｔｉｖａｔｉｏｎ）指示情報、ＤＡＩ（Ｄｏｗｎｌｉｎｋ Ａｓｓｉｇｎｍｅｎｔ Ｉｎｄｅｘ）などを含む。ＤＬ共有チャネル（ｄｏｗｎｌｉｎｋ ｓｈａｒｅｄ ｃｈａｎｎｅｌ，ＤＬ−ＳＣＨ）の送信フォーマット（Ｔｒａｎｓｍｉｔ Ｆｏｒｍａｔ）及びリソース割り当て情報は、ＤＬスケジューリング情報或いはＤＬグラント（ＤＬ ｇｒａｎｔ）とも呼ばれ、ＵＬ共有チャネル（ｕｐｌｉｎｋ ｓｈａｒｅｄ ｃｈａｎｎｅｌ，ＵＬ−ＳＣＨ）の送信フォーマット及びリソース割り当て情報は、ＵＬスケジューリング情報或いはＵＬグラント（ＵＬ ｇｒａｎｔ）とも呼ばれる。一つのＰＤＣＣＨが運ぶＤＣＩは、ＤＣＩフォーマットによってそのサイズと用途が異なり、符号化率によってそのサイズが異なり得る。現在３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（ＲＢ ａｌｌｏｃａｔｉｏｎ）、ＭＣＳ（ｍｏｄｕｌａｔｉｏｎ ｃｏｄｉｎｇ ｓｃｈｅｍｅ）、ＲＶ（ｒｅｄｕｎｄａｎｃｙ ｖｅｒｓｉｏｎ）、ＮＤＩ（ｎｅｗ ｄａｔａ ｉｎｄｉｃａｔｏｒ）、ＴＰＣ（ｔｒａｎｓｍｉｔ ｐｏｗｅｒ ｃｏｎｔｒｏｌ）、巡回シフトＤＭＲＳ（ｃｙｃｌｉｃ ｓｈｉｆｔ ｄｅｍｏｄｕｌａｔｉｏｎ ｒｅｆｅｒｅｎｃｅ ｓｉｇｎａｌ）、ＵＬインデックス、ＣＱＩ（ｃｈａｎｎｅｌ ｑｕａｌｉｔｙ ｉｎｆｏｒｍａｔｉｏｎ）要求、ＤＬ割り当てインデックス（ＤＬ ａｓｓｉｇｎｍｅｎｔ ｉｎｄｅｘ）、ＨＡＲＱプロセスナンバー、ＴＰＭＩ（ｔｒａｎｓｍｉｔｔｅｄ ｐｒｅｃｏｄｉｎｇ ｍａｔｒｉｘ ｉｎｄｉｃａｔｏｒ）、ＰＭＩ（ｐｒｅｃｏｄｉｎｇ ｍａｔｒｉｘ ｉｎｄｉｃａｔｏｒ）情報などの制御情報が適宜選択された組み合わせが下りリンク制御情報としてＵＥに送信される。
【００４５】
一般に、ＵＥに構成された送信モード（ｔｒａｎｓｍｉｓｓｉｏｎ ｍｏｄｅ，ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４６】
ＰＤＣＣＨは、一つ又は複数の連続した制御チャネルエレメント（ｃｏｎｔｒｏｌ ｃｈａｎｎｅｌ ｅｌｅｍｅｎｔ，ＣＣＥ）のアグリゲーション（ａｇｇｒｅｇａｔｉｏｎ）上で送信される。ＣＣＥは、ＰＤＣＣＨに無線チャネル状態に基づく符号化率（ｃｏｄｉｎｇ ｒａｔｅ）を提供するために用いられる論理的割り当てユニット（ｕｎｉｔ）である。ＣＣＥは、複数のリソースエレメントグループ（ｒｅｓｏｕｒｃｅ ｅｌｅｍｅｎｔ ｇｒｏｕｐ，ＲＥＧ）に対応する。例えば、１ ＣＣＥは９個のＲＥＧに対応し、１ ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨサーチスペース、簡単にサーチスペース（Ｓｅａｒｃｈ Ｓｐａｃｅ，ＳＳ）と呼ぶ。サーチスペース内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合をサーチスペースと定義する。３ＧＰＰ ＬＴＥ／ＬＴＥ−ＡシステムでそれぞれのＤＣＩフォーマットのためのサーチスペースは異なるサイズを有してもよく、専用（ｄｅｄｉｃａｔｅｄ）サーチスペースと共通（ｃｏｍｍｏｎ）サーチスペースとが定義されている。専用サーチスペースは、ＵＥ固有（ｓｐｅｃｉｆｉｃ）サーチスペースであり、それぞれの個別ＵＥのために構成（ｃｏｎｆｉｇｕｒａｔｉｏｎ）される。共通サーチスペースは、複数のＵＥのために構成される。以下の表は、サーチスペースを定義するアグリゲーションレベル（ａｇｇｒｅｇａｔｉｏｎ ｌｅｖｅｌ）を例示するものである。
【００４７】
【表３】
0006940684.tif 000022
【００４８】
一つのＰＤＣＣＨ候補は、ＣＣＥアグリゲーションレベルによって１、２、４又は８個のＣＣＥに対応する。ｅＮＢは、サーチスペース内の任意のＰＤＣＣＨ候補上で実際のＰＤＣＣＨ（ＤＣＩ）を送信し、ＵＥは、ＰＤＣＣＨ（ＤＣＩ）を探すためにサーチスペースをモニタリングする。ここで、モニタリングとは、全てのモニタリングされるＤＣＩフォーマットによって当該サーチスペース内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出（ｂｌｉｎｄ ｄｅｔｅｃｔｉｏｎ）（ブラインド復号（ｂｌｉｎｄ ｄｅｃｏｄｉｎｇ，ＢＤ））という。
【００４９】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ（Ｐｈｙｓｉｃａｌ Ｄｏｗｎｌｉｎｋ Ｓｈａｒｅｄ ＣＨａｎｎｅｌ）を割り当てることができる。ＰＣＨ（Ｐａｇｉｎｇ ｃｈａｎｎｅｌ）及びＤＬ−ＳＣＨ（Ｄｏｗｎｌｉｎｋ−ｓｈａｒｅｄ ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ Ｎｅｔｗｏｒｋ Ｔｅｍｐｏｒａｒｙ Ｉｄｅｎｔｉｔｙ）でＣＲＣ（ｃｙｃｌｉｃ ｒｅｄｕｎｄａｎｃｙ ｃｈｅｃｋ）マスキング（ｍａｓｋｉｎｇ）されており、「Ｂ」という無線リソース（例えば、周波数位置）及び「Ｃ」という送信形式情報（例えば、送信ブロックサイズ、変調方式、符号化情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５０】
ＵＥがｅＮＢから受信した信号を復調するには、データ信号と比較する参照信号（ｒｅｆｅｒｅｎｃｅ ｓｉｇｎａｌ，ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル固有（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ ＲＳ）とに区別される。ｅＮＢが特定ＵＥのための下りリンクデータの復調のために送信するＤＭ ＲＳをＵＥ固有（ＵＥ−ｓｐｅｃｉｆｉｃ）ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャネル測定用ＲＳを別途提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００５１】
図４は、３ＧＰＰ ＬＴＥ／ＬＴＥ−Ａシステムで使用される上りリンク（ｕｐｌｉｎｋ，ＵＬ）サブフレーム構造の一例を示す図である。
【００５２】
図４を参照すると、ＵＬサブフレームは、周波数ドメインで制御領域とデータ領域とに区別できる。一つ又は複数のＰＵＣＣＨ（ｐｈｙｓｉｃａｌ ｕｐｌｉｎｋ ｃｏｎｔｒｏｌ ｃｈａｎｎｅｌｓ）が上りリンク制御情報（ｕｐｌｉｎｋ ｃｏｎｔｒｏｌ ｉｎｆｏｒｍａｔｉｏｎ，ＵＣＩ）を運ぶために制御領域に割り当てることができる。一つ又は複数のＰＵＳＣＨ（ｐｈｙｓｉｃａｌ ｕｐｌｉｎｋ ｓｈａｒｅｄ ｃｈａｎｎｅｌｓ）がユーザデータを運ぶために、ＵＬサブフレームのデータ領域に割り当てられてもよい。
【００５３】
ＵＬサブフレームではＤＣ（Ｄｉｒｅｃｔ Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。一つのＵＥのＰＵＣＣＨは一つのサブフレームで、一つの搬送波周波数で動作するリソースに属したＲＢ対に割り当てられ、このＲＢ対に属したＲＢは、２個のスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５４】
ＰＵＣＣＨは、次の制御情報を送信するために使用される。
【００５５】
−ＳＲ（Ｓｃｈｅｄｕｌｉｎｇ Ｒｅｑｕｅｓｔ）：上りリンクＵＬ−ＳＣＨリソースを要求するために使用される情報である。ＯＯＫ（Ｏｎ−Ｏｆｆ Ｋｅｙｉｎｇ）方式を用いて送信される。
【００５６】
−ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ或いはＰＤＳＣＨの受信に成功したか否かを示す。単一下りリンクコードワードに対する応答としてＨＡＲＱ−ＡＣＫ １ビットが送信され、２個の下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００５７】
−ＣＳＩ（Ｃｈａｎｎｅｌ Ｓｔａｔｅ Ｉｎｆｏｒｍａｔｉｏｎ）：下りリンクチャネルに対するフィードバック情報（ｆｅｅｄｂａｃｋ ｉｎｆｏｒｍａｔｉｏｎ）である。ＭＩＭＯ（Ｍｕｌｔｉｐｌｅ Ｉｎｐｕｔ Ｍｕｌｔｉｐｌｅ Ｏｕｔｐｕｔ）関連フィードバック情報は、ＲＩ（Ｒａｎｋ Ｉｎｄｉｃａｔｏｒ）及びＰＭＩ（Ｐｒｅｃｏｄｉｎｇ Ｍａｔｒｉｘ Ｉｎｄｉｃａｔｏｒ）を含む。
【００５８】
ＵＥがサブフレームで送信可能な上りリンク制御情報（ＵＣＩ）の量は、制御情報送信に利用可能なＳＣ−ＦＤＭＡの個数に依存する。ＵＣＩに利用可能なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ Ｒｅｆｅｒｅｎｃｅ Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００５９】
表４はＬＴＥ／ＬＴＥ−ＡシステムにおいてＰＵＣＣＨフォーマットとＵＣＩとのマッピング関係を示す。
【００６０】
【表４】
0006940684.tif 000023
【００６１】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ｃｈａｎｎｅｌ ｓｔａｔｅ ｉｎｆｏｒｍａｔｉｏｎ，ＣＳＩ）を運ぶために用いられ、ＰＵＣＣＨフォーマット３系列はＡＣＫ／ＮＡＣＫ情報を送信するために用いられる。
【００６２】
ＰＵＣＣＨフォーマット３はブロック拡散（Ｂｌｏｃｋ ｓｐｒｅａｄｉｎｇ）技法を使用するＰＵＣＣＨフォーマットである。ブロック拡散技法はブロック拡散コードを用いてマルチビットＡＣＫ／ＮＡＣＫを変調した変調シンボルシーケンスを多重化する方法を意味する。ブロック拡散技法はＳＣ−ＦＤＭＡ方式を用いる。ここで、ＳＣ−ＦＤＭＡ方式はＤＦＴ（ｄｉｓｃｒｅｔｅ Ｆｏｕｒｉｅｒ ｔｒａｎｓｆｏｒｍ）拡散（ｓｐｒｅａｄｉｎｇ）後（又はＦＦＴ（ｆａｓｔ Ｆｏｕｒｉｅｒ ｔｒａｎｓｆｏｒｍ）後）ＩＦＦＴが行われる送信方式を意味する。
【００６３】
ＰＵＣＣＨフォーマット３では、シンボルシーケンス（例えば、ＡＣＫ／ＮＡＣＫシンボルシーケンス）がブロック拡散コードによって時間領域で拡散されて送信される。ブロック拡散コードとしては直交カバーコード（ｏｒｔｈｏｇｏｎａｌ ｃｏｖｅｒ ｃｏｄｅ：ＯＣＣ）が使用される。ブロック拡散コードによって複数の端末の制御信号が多重化される。ＰＵＣＣＨフォーマット２では、一つのシンボルシーケンスが時間領域にわたって送信され、ＣＡＺＡＣ（ｃｏｎｓｔａｎｔ ａｍｐｌｉｔｕｄｅ ｚｅｒｏ ａｕｔｏ−ｃｏｒｒｅｌａｔｉｏｎ）シーケンスの巡回シフトを用いて端末多重化を行う反面、ＰＵＣＣＨフォーマット３では、一つ以上のシンボルで構成されるシンボルシーケンスが各データシンボルの周波数領域にわたって送信され、ブロック拡散コードによって時間領域で拡散されて端末の多重化を行うという差がある。
【００６４】
参照信号（Ｒｅｆｅｒｅｎｃｅ Ｓｉｇｎａｌ；ＲＳ）
【００６５】
無線通信システムにおいてパケットを送信する時、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ Ｓｉｇｎａｌ）又は参照信号（Ｒｅｆｅｒｅｎｃｅ Ｓｉｇｎａｌ）という。
【００６６】
複数アンテナを用いてデータを送受信する場合、各送信アンテナと受信アンテナの間のチャネル状況を知らないと、正しい信号を受信することができない。従って、各送信アンテナごとに、より詳しくはアンテナポート（ａｎｔｅｎｎａ ｐｏｒｔ）ごとに異なった参照信号が存在しなければならない。
【００６７】
参照信号は上りリンク参照信号と下りリンク参照信号とに区別できる。現在、いくつのシステム、例えば、ＬＴＥベースのシステムにおいて、上りリンク参照信号として、
【００６８】
i）ＰＵＳＣＨ及びＰＵＣＣＨを介して送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ Ｓｉｇｎａｌ，ＤＭ−ＲＳ）及び
【００６９】
ii）ｅＮＢが、ネットワークの異なる周波数における上りリンクチャネル品質を測定するためのサウンディング参照信号（Ｓｏｕｎｄｉｎｇ Ｒｅｆｅｒｅｎｃｅ Ｓｉｇｎａｌ，ＳＲＳ）を含む。
【００７０】
一方、下りリンク参照信号としては、例えば、
【００７１】
i） セル内の全ての端末が共有するセル固有の参照信号（Ｃｅｌｌ−ｓｐｅｃｉｆｉｃ Ｒｅｆｅｒｅｎｃｅ Ｓｉｇｎａｌ，ＣＲＳ）;
【００７２】
ii） 特定のＵＥのみのための端末固有の参照信号（ＵＥ−ｓｐｅｃｉｆｉｃ Ｒｅｆｅｒｅｎｃｅ Ｓｉｇｎａｌ）;
【００７３】
iii） ＰＤＳＣＨが送信される場合に、コヒーレントな復調のために送信される（ＤｅＭｏｄｕｌａｔｉｏｎ−Ｒｅｆｅｒｅｎｃｅ Ｓｉｇｎａｌ，ＤＭ−ＲＳ）;
【００７４】
iv） 下りリンクＤＭＲＳが送信される場合に、チャネル状態情報（Ｃｈａｎｎｅｌ Ｓｔａｔｅ Ｉｎｆｏｒｍａｔｉｏｎ；ＣＳＩ）を伝達するためのチャネル状態情報の参照信号（Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ）;
【００７５】
v） ＭＢＳＦＮ（Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ）モードで送信される信号に対するコヒーレントな復調のために送信されるＭＢＳＦＮ参照信号（ＭＢＳＦＮ Ｒｅｆｅｒｅｎｃｅ Ｓｉｇｎａｌ）;及び
【００７６】
vi） 端末の地理的位置情報を推定するために用いられる位置参照信号（Ｐｏｓｉｔｉｏｎｉｎｇ Ｒｅｆｅｒｅｎｃｅ Ｓｉｇｎａｌ）がある。
【００７７】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することができる。この参照信号は、データの送信される領域で送信されなければならない。
【００７８】
ＣＳＩ報告
【００７９】
３ＧＰＰ ＬＴＥ（−Ａ）システムでは、ユーザ機器（ＵＥ）がチャネル状態情報（ＣＳＩ）を基地局（ＢＳ）に報告するように定義されており、チャネル状態情報（ＣＳＩ）とは、ＵＥとアンテナポートの間に形成される無線チャネル（リンクともいう）の品質を示す情報を統称する。例えば、ランク指示子（ｒａｎｋ ｉｎｄｉｃａｔｏｒ、ＲＩ）、プリコーディング行列指示子（ｐｒｅｃｏｄｉｎｇ ｍａｔｒｉｘ ｉｎｄｉｃａｔｏｒ、ＰＭＩ）、チャネル品質指示子（Ｃｈａｎｎｅｌ ｑｕａｌｉｔｙ ｉｎｄｉｃａｔｏｒ、ＣＱＩ）などがある。ここで、ＲＩはチャネルのランク情報を示し、これはＵＥが同じ時間−周波数リソースにより受信するストリームの数を示す。この値はチャネルの長期フェーディング（ｌｏｎｇ ｔｅｒｍ ｆａｄｉｎｇ）により従属して決定されるので、普通ＰＭＩ、ＣＱＩより長い周期を有してＵＥからＢＳにフィードバックされる。ＰＭＩはチャネル空間特性を反映した値であり、ＳＩＮＲなどのメトリック（ｍｅｔｒｉｃ）を基準としてＵＥが選好するプリコーディングインデックスを示す。ＣＱＩはチャネルの強度を示す値であり、一般的にＢＳがＰＭＩを用いた時に得られる受信ＳＩＮＲを意味する。
【００８０】
無線チャネルの測定に基づいて、ＵＥは現在のチャネル状態下でＢＳにより使用されると、最適又は最高の送信レートを導き出す選好ＰＭＩ及びＲＩを計算し、計算されたＰＭＩ及びＲＩをＢＳにフィードバックする。ここで、ＣＱＩはフィードバックされたＰＭＩ／ＲＩに対する収容可能なパケット誤り率（Ｐａｃｋｅｔ ｅｒｒｏｒ ｐｒｏｂａｂｉｌｉｔｙ）を提供する変調及び符号化方式（ｍｏｄｕｌａｔｉｏｎ ａｎｄ ｃｏｄｉｎｇ ｓｃｈｅｍｅ）を称する。
【００８１】
一方、より精密なＭＵ−ＭＩＭＯと明示的なＣｏＭＰ動作を含むと期待されるＬＴＥ−Ａシステムにおいて、現在のＣＳＩフィードバックはＬＴＥで定義したものであり、新しく導入される動作を十分に支援できない。十分なＭＵ−ＭＩＭＯ又はＣｏＭＰスループット（ｔｈｒｏｕｇｈｐｕｔ）利得を得るためにＣＳＩフィードバックの正確度に対する要求事項が厳しくなったことにより、ＰＭＩが長期／広帯域ＰＭＩ（Ｗ１）と短期／サブバンドＰＭＩ（Ｗ２）の２個で構成される。即ち、最終ＰＭＩはＷ１とＷ２の関数により表現される。例えば、最終ＰＭＩ Ｗは以下のように定義できる：Ｗ＝Ｗ１＊Ｗ２又はＷ＝Ｗ２＊Ｗ１。従って、ＬＴＥ−Ａにおいて、ＣＳＩはＲＩ、Ｗ１、Ｗ２及びＣＱＩで構成される。
【００８２】
３ＧＰＰ ＬＴＥ（−Ａ）システムにおいてＣＳＩ送信のために使用される上りリンクチャネルは以下の表５の通りである。
【００８３】
【表５】
0006940684.tif 000024
【００８４】
表５を参照すると、ＣＳＩは上位層で定めた周期で物理上りリンク制御チャネル（Ｐｈｙｓｉｃａｌ Ｕｐｌｉｎｋ ｃｏｎｔｒｏｌ ｃｈａｎｎｅｌ、ＰＵＣＣＨ）を用いて送信され、スケジューラの必要によって非周期的に物理上りリンク共有チャネル（Ｐｈｙｓｉｃａｌ Ｕｐｌｉｎｋ Ｓｈａｒｅｄ ｃｈａｎｎｅｌ、ＰＵＳＣＨ）を用いて送信される。ＣＳＩがＰＵＳＣＨで送信されることは、周波数選択的なスケジューリング方式であるか又は非周期的ＣＳＩ送信である場合にのみ可能である。以下、スケジューリング方式及び周期性によるＣＳＩ送信方式について説明する。
【００８５】
１）ＣＳＩ送信要求制御信号（ＣＳＩ ｒｅｑｕｅｓｔ）の受信後、ＰＵＳＣＨを介するＣＱＩ／ＰＭＩ／ＲＩ送信
【００８６】
ＰＤＣＣＨ信号で送信されるＰＵＳＣＨスケジューリング制御信号（ＵＬ Ｇｒａｎｔ）にＣＳＩを送信するように要求する制御信号が含まれる。以下の表はＰＵＳＣＨを介してＣＱＩ、ＰＭＩ、ＲＩを送信する時のＵＥのモードを示す。
【００８７】
【表６】
0006940684.tif 000025
【００８８】
表６の送信モードは上位層で選択され、ＣＱＩ／ＰＭＩ／ＲＩはいずれも同じＰＵＳＣＨサブフレームで送信される。以下、各モードによるＵＥの上りリンク送信方法について説明する。
【００８９】
モード１−２は、各々のサブバンドについてデータがサブバンドのみにより送信されるという仮定の下でプリコーディング行列を選択する場合を示す。ＵＥはシステム帯域又は上位層で指定した帯域（ｓｅｔ Ｓ）全体に対して選択したプリコーディング行列を仮定してＣＱＩを生成する。モード１−２において、ＵＥはＣＱＩと各サブバンドのＰＭＩ値を送信する。この時、各サブバンドのサイズはシステム帯域のサイズによって異なる。
【００９０】
モード２−０のＵＥは、システム帯域又は上位層で指定した指定帯域（ｓｅｔ Ｓ）に対して選好するＭ個のサブバンドを選択する。ＵＥは選択したＭ個のサブバンドに対してデータを送信するという仮定の下で一つのＣＱＩ値を生成する。ＵＥは、さらにシステム帯域又はｓｅｔ Ｓに対して一つのＣＱＩ（ｗｉｄｅｂａｎｄ ＣＱＩ）値を報告することが好ましい。ＵＥは選択したＭ個のサブバンドに対して多数のコードワードがある場合、各コードワードに対するＣＱＩ値を差分形式で定義する。
【００９１】
この時、差分ＣＱＩ値は、選択したＭ個のサブバンドに対するＣＱＩ値に該当するインデックスと広帯域ＣＱＩ（ＷＢ−ＣＱＩ：Ｗｉｄｅｂａｎｄ ＣＱＩ）インデックスの差により決定される。
【００９２】
モード２−０のＵＥは、選択したＭ個のサブバンドの位置に関する情報、選択したＭ個のサブバンドに対する一つのＣＱＩ値及び全帯域又は指定帯域（ｓｅｔ Ｓ）について生成したＣＱＩ値をＢＳに送信する。この時、サブバンドのサイズ及びＭ値はシステム帯域のサイズによって変化する。
【００９３】
モード２−２のＵＥは、Ｍ個の選好するサブバンドを介してデータを送信するという仮定の下で、Ｍ個の選好サブバンドの位置とＭ個の選好サブバンドに対する単一のプリコーディング行列を同時に選択する。この時、Ｍ個の選好サブバンドに対するＣＱＩ値はコードワードごとに定義される。さらにＵＥはシステム帯域又は指定帯域（ｓｅｔ Ｓ）に対して広帯域ＣＱＩ（ｗｉｄｅｂａｎｄ ＣＱＩ）値を生成する。
【００９４】
モード２−２のＵＥは、Ｍ個の選好サブバンドの位置に関する情報、選択されたＭ個のサブバンドに対する一つのＣＱＩ値、Ｍ個の選好サブバンドに対する単一ＰＭＩ、広帯域ＰＭＩ、広帯域ＣＱＩ値をＢＳに送信する。この時、サブバンドのサイズ及びＭ値はシステム帯域のサイズによって変化する。
【００９５】
モード３−０のＵＥは広帯域ＣＱＩ値を生成する。ＵＥは各サブバンドを介してデータを送信するという仮定の下で、各サブバンドに対するＣＱＩ値を生成する。この時、ＲＩ＞１であってもＣＱＩ値は１番目のコードワードに対するＣＱＩ値のみを示す。
【００９６】
モード３−１のＵＥは、システム帯域又は指定帯域（ｓｅｔ Ｓ）に対して単一のプリコーディング行列を生成する。ＵＥは各サブバンドに対して以前に生成した単一のプリコーディング行列を仮定し、コードワードごとにサブバンドＣＱＩを生成する。またＵＥは、単一のプリコーディング行列を仮定して、広帯域ＣＱＩを生成する。各サブバンドのＣＱＩ値は差分形式で表現される。サブバンドＣＱＩ値はサブバンドＣＱＩインデックスと広帯域ＣＱＩインデックスの差により計算される。この時、サブバンドのサイズはシステム帯域のサイズによって変化する。
【００９７】
モード３−２のＵＥは、モード３−１と比較して、全体帯域に対する単一のプリコーディング行列の代わりに、各サブバンドに対するプリコーディング行列を生成する。
【００９８】
２）ＰＵＣＣＨを介する周期的なＣＱＩ／ＰＭＩ／ＲＩ送信
【００９９】
ＵＥはＣＳＩ（例えば、ＣＱＩ／ＰＭＩ／ＰＴＩ（ｐｒｅｃｏｄｉｎｇ ｔｙｐｅ ｉｎｄｉｃａｔｏｒ）及び／又はＲＩ情報）をＰＵＣＣＨを介してＢＳに周期的に送信する。もしＵＥがユーザデータを送信するという制御信号を受信した場合、ＵＥはＰＵＣＣＨを介してＣＱＩを送信する。制御信号がＰＵＳＣＨを介して送信されても、ＣＱＩ／ＰＭＩ／ＰＴＩ／ＲＩは以下の表に定義されたモードのうちのいずれか一つにより送信される。
【０１００】
【表７】
0006940684.tif 000026
【０１０１】
ＵＥは表７のような送信モードを有する。表７を参照すると、モード２−０及びモード２−１の場合、帯域幅パート（ＢＰ：Ｂａｎｄｗｉｄｔｈ Ｐａｒｔ）は周波数領域で連続して位置するサブバンドの集合であり、システム帯域又は指定帯域（ｓｅｔ Ｓ）を全てカバーする。表７において、各サブバンドのサイズ、ＢＰのサイズ及びＢＰの数はシステム帯域のサイズによって異なる。またＵＥはシステム帯域又は指定帯域（ｓｅｔ Ｓ）をカバーできるようにＢＰごとにＣＱＩを周波数領域で昇順に送信する。
【０１０２】
ＣＱＩ／ＰＭＩ／ＰＴＩ／ＲＩの送信の組み合わせによって、ＵＥは以下のようなＰＵＣＣＨ送信タイプを有する。
【０１０３】
i）タイプ１：モード２−０、モード２−１のサブバンドＣＱＩ（ＳＢ−ＣＱＩ）を送信する。
【０１０４】
ii）タイプ１a：サブバンドＣＱＩ及び第２ＰＭＩを送信する。
【０１０５】
iii）タイプ２、タイプ２ｂ、タイプ２ｃ：広帯域ＣＱＩ及びＰＭＩ（ＷＢ−ＣＱＩ／ＰＭＩ）を送信する。
【０１０６】
iv）タイプ２ａ：広帯域ＰＭＩを送信する。
【０１０７】
v）タイプ３：ＲＩを送信する。
【０１０８】
vi）タイプ４：広帯域ＣＱＩを送信する。
【０１０９】
vii）タイプ５：ＲＩ及び広帯域ＰＭＩを送信する。
【０１１０】
viii）タイプ６：ＲＩ及びＰＴＩを送信する。
【０１１１】
ix）タイプ７：ＣＲＩ（ＣＳＩ−ＲＳ ｒｅｓｏｕｒｃｅ ｉｎｄｉｃａｔｏｒ）及びＲＩを送信する。
【０１１２】
x）タイプ８：ＣＲＩ、ＲＩ及び広帯域ＰＭＩを送信する。
【０１１３】
xi）タイプ９：ＣＲＩ、ＲＩ及びＰＴＩ（ｐｒｅｃｏｄｅ ｔｙｐｅ Ｉｎｄｉｃａｔｉｏｎ）を送信する。
【０１１４】
xii）タイプ１０：ＣＲＩを送信する。
【０１１５】
ＵＥがＲＩと広帯域ＣＱＩ／ＰＭＩを送信する場合、ＣＱＩ／ＰＭＩは互いに異なる周期とオフセットを有するサブフレームに送信される。またＲＩと広帯域ＣＱＩ／ＰＭＩが同じサブフレームに送信される場合には、ＣＱＩ／ＰＭＩは送信されない。
【０１１６】
非周期的ＣＳＩ要求
【０１１７】
現在ＬＴＥ標準では、ＣＡ（ｃａｒｒｉｅｒ ａｇｇｒｅｇａｔｉｏｎ）環境を考慮する場合、非周期的ＣＳＩフィードバックを動作させるために、ＤＣＩフォーマット０又は４で２ビットＣＳＩ要求フィールドを使用している。端末はＣＡ環境で複数のサービングセルが設定された場合、ＣＳＩ要求フィールドを２ビットと解釈する。もし全てのＣＣ（Ｃｏｍｐｏｎｅｎｔ Ｃａｒｒｉｅｒ）に対してＴＭ１からＴＭ９の間のＴＭのうちの一つが設定された場合は、以下の表８の値によって非周期的ＣＳＩフィードバックがトリガーされ、全てのＣＣのうち、少なくとも一つのＣＣに対してＴＭ１０が設定された場合には、以下の表９の値によって非周期的ＣＳＩフィードバックがトリガーされる。
【０１１８】
【表８】
0006940684.tif 000027
【０１１９】
【表９】
0006940684.tif 000028
【０１２０】
キャリアアグリゲーション（Ｃａｒｒｉｅｒ Ａｇｇｒｅｇａｔｉｏｎ；ＣＡ）
【０１２１】
ＣＡは、無線通信システムがより広い周波数帯域を使用するために、端末が上りリンクリソース（又はコンポーネント（ｃｏｍｐｏｎｅｎｔ）キャリア）及び／又は下りリンクリソース（又はコンポーネントキャリア）で構成された周波数ブロック又は（論理的意味の）複数のセルを使用して一つの大きい論理周波数帯域として使用する方法を意味する。
【０１２２】
ＬＴＥシステムの場合、一つの下りリンクコンポーネントキャリアと一つの上りリンクコンポーネントキャリアを使用する反面、ＬＴＥ−Ａシステムの場合は、複数のコンポーネントキャリアが使用される。この時、制御チャネルがデータチャネルをスケジューリングする方式は、既存のリンク又はセルフキャリアスケジューリング（Ｌｉｎｋｅｄ／ｓｅｌｆ ｃａｒｒｉｅｒ ｓｃｈｅｄｕｌｉｎｇ）方式とクロスキャリアスケジューリング（Ｃｒｏｓｓ ｃａｒｒｉｅｒ ｓｃｈｅｄｕｌｉｎｇ；ＣＣＳ）方式とに区分される。
【０１２３】
より具体的には、リンク／セルフキャリアスケジューリングは、単一のコンポーネントキャリアを使用する既存のＬＴＥシステムのように、特定のコンポーネントキャリアにより送信される制御チャネルは特定のコンポーネントキャリアによりデータチャネルのみをスケジューリングする。
【０１２４】
一方、クロススケジューリングは、キャリア指示子フィールド（Ｃａｒｒｉｅｒ Ｉｎｄｉｃａｔｏｒ Ｆｉｅｌｄ；ＣＩＦ）を使用してプライマリコンポーネントキャリア（Ｐｒｉｍａｒｙ ＣＣ）により送信される制御チャネルが、プライマリコンポーネントキャリアにより送信される或いは他のコンポーネントキャリアにより送信されるデータチャネルをスケジューリングする。
【０１２５】
次のＬＴＥ−Ａシステム
【０１２６】
より多い通信機器がより大きい通信容量を要求することにより、最近論議されている次世代通信システムでは、既存の無線アクセス技術（ｒａｄｉｏ Ａｃｃｅｓｓ ｔｅｃｈｎｏｌｏｇｙ、ＲＡＴ）に比べて向上した無線広帯域（ｍｏｂｉｌｅ ｂｒｏａｄｂａｎｄ、ｅＭＢＢ）通信に対する必要性が台頭しつつある。また、複数の機器及びモノを連結していつでもどこでも様々なサービスを提供する大規模ＭＴＣ（ｍａｓｓｉｖｅ Ｍａｃｈｉｎｅ Ｔｙｐｅ Ｃｏｍｍｕｎｉｃａｔｉｏｎｓ）が次世代通信において考慮すべき重要なイッシュの一つである。のみならず、信頼度（ｒｅｌｉａｂｉｌｉｔｙ）及びレイテンシ（ｌａｔｅｎｃｙ）に敏感なサービス／ＵＥを考慮したＵＲＬＬＣ（Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ）が論議されている。
【０１２７】
今後のシステムでは様々な適用分野における要求事項を満たすために、全ての或いは特定の物理チャネルに対してＴＴＩ（の長さ）を様々に設定する状況が考えられる。より特徴的には、シナリオによってｅＮＢとＵＥの間の通信時に遅延を減らすために、ＰＤＣＣＨ／ＰＤＳＣＨ／ＰＵＳＣＨ／ＰＵＣＣＨなどの物理チャネル送信が使用されるＴＴＩを１ｍｓｅｃより小さく設定することができる（以下、これらを各々ｓＰＤＣＣＨ／ｓＰＤＳＣＨ／ｓＰＵＳＣＨ／ｓＰＵＣＣＨとする）。また、単一のＵＥ或いは複数のＵＥについて、単一のサブフレーム（例えば、１ｍｓｅｃ）内で複数の物理チャネルが存在することができ、各々ＴＴＩ（の長さ）が異なることができる。以下の実施例では、説明の便宜上、ＬＴＥシステムを一例とする。この時、ＴＴＩはＬＴＥシステムにおける一般的なサブフレームサイズの１ｍｓｅｃであり（以下、一般ＴＴＩ）、短いＴＴＩはそれより小さい値をいい、単一／複数のＯＦＤＭ或いはＳＣ−ＦＤＭＡシンボル単位である。説明の便宜上、短いＴＴＩ（即ち、ＴＴＩ長が既存の一つのサブフレームより小さい場合）を仮定したが、ＴＴＩが一つのサブフレームより長くなる場合、或いは１ｍｓ以上である場合についても本発明の主要な特徴を拡張して適用することができる。特徴的には、今後のシステムにおいて、副搬送波間隔（ｓｕｂｃａｒｒｉｅｒ ｓｐａｃｉｎｇ）を増加させる形態で短いＴＴＩが導入される場合にも、本発明の主要特徴を拡張して適用できる。説明の便宜上、ＬＴＥに基づいて発明を説明するが、該当内容はｎｅｗ ＲＡＴ（ｎｅｗ ｒａｄｉｏ ａｃｃｅｓｓ ｔｅｃｈｎｏｌｏｇｙ;ＲＡＴ）などの他の波形／フレーム構造（ｗａｖｅｆｏｒｍ／ｆｒａｍｅ ｓｔｒｕｃｔｕｒｅ）が使用される技術にも適用できる。一般的には、本発明ではｓＴＴＩ（＜１ｍｓｅｃ）、ｌｏｎｇＴＴＩ（＝１ｍｓｅｃ）、ｌｏｎｇｅｒＴＴＩ（＞１ｍｓｅｃ）と仮定する。以下の実施例では、互いに異なるＴＴＩ長／ニューマロロジー／プロセシング時間を有する複数のＵＬチャネルについて説明したが、互いに異なるサービス要求事項、遅延、スケジューリングユニットが適用される複数のＵＬ／ＤＬチャネルに拡張して適用することもできる。
【０１２８】
上述した遅延減少、即ち、低い遅延（ｌｏｗ Ｌａｔｅｎｃｙ）を満たすために、データ送信の最小単位であるＴＴＩを縮めて０.５ｍｓｅｃ以下の短いＴＴＩ（ｓＴＴＩ）を新しくデザインする必要がある。例えば、図５に示すように、ｅＮＢがデータ（ＰＤＣＣＨ及びＰＤＳＣＨ）の送信を開始してからＵＥがＡ／Ｎ（ＡＣＫ／ＮＡＣＫ）の送信を完了するまでのユーザプレーン（Ｕｓｅｒ ｐｌａｎｅ;Ｕ−ｐｌａｎｅ）遅延を１ｍｓｅｃに減らすために、約３ＯＦＤＭシンボルを単位としてｓＴＴＩを構成することができる。
【０１２９】
下りリンクの環境では、かかるｓＴＴＩ内におけるデータの送信／スケジューリングのためのＰＤＣＣＨ（即ち、ｓＰＤＣＣＨ）とｓＴＴＩ内で送信が行われるＰＤＳＣＨ（即ち、ｓＰＤＳＣＨ）が送信されることができ、例えば、図６に示すように、一つのサブフレーム内に複数のｓＴＴＩが互いに異なるＯＦＤＭシンボルを使用して構成されることができる。特徴的には、ｓＴＴＩを構成するＯＦＤＭシンボルは、レガシー制御チャネルが送信されるＯＦＤＭシンボルを除いて構成される。ｓＴＴＩ内におけるｓＰＤＣＣＨとｓＰＤＳＣＨの送信は、互いに異なるＯＦＤＭシンボル領域を使用してＴＤＭ（ｔｉｍｅ ｄｉｖｉｓｉｏｎ ｍｕｌｔｉｐｌｅｘｉｎｇ）された形態で送信され、互いに異なるＰＲＢ領域／周波数リソースを使用してＦＤＭ（ｆｒｅｑｕｅｎｃｙ ｄｉｖｉｓｉｏｎ ｍｕｌｔｉｐｌｅｘｉｎｇ）された形態で送信されることもできる。
【０１３０】
上りリンクの環境でも、上述した下りリンクの環境のように、ｓＴＴＩ内でデータの送信／スケジューリングが可能であり、既存のＴＴＩ基盤のＰＵＣＣＨとＰＵＳＣＨに対応するチャネルをｓＰＵＣＣＨ、ｓＰＵＳＣＨと称する。
【０１３１】
この明細書では、ＬＴＥ／ＬＴＥ−Ａシステムを基準として発明を説明する。既存のＬＴＥ／ＬＴＥ−Ａにおいて、１ｍｓのサブフレームは一般ＣＰを有する場合、１４個のＯＦＤＭシンボルで構成され、これを１ｍｓより短い単位のＴＴＩを構成する場合、一つのサブフレーム内に複数のＴＴＩを構成できる。複数のＴＴＩを構成する方式は、以下の図７に示した実施例のように、２シンボル、３シンボル、４シンボル、７シンボルが一つのＴＴＩを構成できる。図示していないが、１シンボルのＴＴＩを有する場合も考えることができる。１シンボルが一つのＴＴＩ単位になると、２個のＯＦＤＭシンボルにレガシーＰＤＣＣＨを送信するという仮定の下で、１２個のＴＴＩが生成される。同様に、図７の（ａ）のように、２シンボルが一つのＴＴＩ単位になると、６個のＴＴＩ、図７の（ｂ）のように、３シンボルが一つのＴＴＩ単位になると、４個のＴＴＩ、図７の（ｃ）のように、４シンボルが一つのＴＴＩ単位になると、３個のＴＴＩを生成できる。勿論、この場合、最初の２個のＯＦＤＭシンボルはレガシーＰＤＣＣＨが送信されたと仮定する。
【０１３２】
図７の（ｄ）に示したように、７個のシンボルが一つのＴＴＩを構成すると、レガシーＰＤＣＣＨを含む７個のシンボル単位の一つのＴＴＩと後の７個のシンボルが一つのＴＴＩを構成できる。この時、ｓＴＴＩを支援する端末の場合、一つのＴＴＩが７シンボルで構成されると、一つのサブフレームの前側に位置するＴＴＩ（１番目のスロット）についてはレガシーＰＤＣＣＨが送信される前側の２個のＯＦＤＭシンボルに対してはパンクチャリングするか、又はレートマッチングされたと仮定し、その後５個のシンボルに自分のデータ及び／又は制御情報が送信されると仮定する。反面、一つのサブフレームの後側に位置するＴＴＩ（２番目のスロット）に対して、端末はパンクチャリングやレートマッチングするリソース領域無しに７個のシンボルに全てデータ及び／又は制御情報を送信できると仮定する。
【０１３３】
また本発明では、２個のＯＦＤＭシンボル（以下、"ＯＳ"）で構成されたｓＴＴＩと３個のＯＳで構成されたｓＴＴＩが、図８のように一つのサブフレーム内に混合されて存在するｓＴＴＩ構造も考慮する。このような２−ＯＳ又は３−ＯＳのｓＴＴＩで構成されたｓＴＴＩを簡単に２シンボルｓＴＴＩ（即ち、２−ＯＳ ｓＴＴＩ）と定義する。また、２シンボルｓＴＴＩ又は３シンボルｓＴＴＩを簡単に２シンボルＴＴＩ又は３シンボルＴＴＩと称することもでき、これらが全て本発明で前提しているレガシーＴＴＩである１ｍｓ ＴＴＩより短いＴＴＩであることは明らかである。即ち、この明細書において"ＴＴＩ"と称してもｓＴＴＩであることができ、その名称に関係なく、本発明ではレガシーＴＴＩより短い長さのＴＴＩで構成されたシステムにおける通信方式を提案する。
【０１３４】
この明細書において、ニューマロロジーとは、該当無線通信システムに適用されるＴＴＩ長、副搬送波間隔などの決定、所定のＴＴＩ長又は副搬送波間隔などのパラメータ又はそれらに基づく通信構造又はシステムなどを意味する。
【０１３５】
図８の（ａ）に示した＜３,２,２,２,２,３＞ｓＴＴＩパターンではＰＤＣＣＨのシンボル数によってｓＰＤＣＣＨが送信されることができる。図８の（ｂ）に示した＜２,３,２,２,２,３＞ｓＴＴＩパターンではレガシーＰＤＣＣＨ領域のためにｓＰＤＣＣＨの送信が難しい。
【０１３６】
新しい無線アクセス技術システム（ｎｅｗ ｒａｄｉｏ ｔｅｃｈｎｏｌｏｇｙ；ＮＲ）
【０１３７】
以上、３ＧＰＰ ＬＴＥ（−Ａ）システムの構造、動作又は機能などを説明したが、ＮＲでは３ＧＰＰ ＬＴＥ（−Ａ）における構造、動作又は機能などが少し変形されたり他の方式で具現化又は設定されることができる。その一部を簡単に説明する。
【０１３８】
ＮＲシステムにおいて、下りリンク（ＤＬ）及び上りリンク（ＵＬ）の送信は１０ｍｓ長（ｄｕｒａｔｉｏｎ）を有するフレームで行われ、各フレームは１０個のサブフレームを含む。従って、１サブフレームは１ｍｓに該当する。各フレームは２個のハーフフレームに分かれる。
【０１３９】
一つのサブフレームはＮｓｙｍｂｓｕｂｆｒａｍｅ,μ＝Ｎｓｙｍｂｓｌｏｔ Ｘ Ｎｓｌｏｔｓｕｂｆｒａｍｅ,μ個の連続するＯＦＤＭシンボルを含む。Ｎｓｙｍｂｓｌｏｔはスロット当たりのシンボル数、μはＯＦＤＭニューマロロジーを示し、Ｎｓｌｏｔｓｕｂｆｒａｍｅ,μは該当μに対してサブフレーム当たりのスロット数を示す。ＮＲでは、表１０のような複数ＯＦＤＭニューマロロジーが支援される。
【０１４０】
【表１０】
0006940684.tif 000029
【０１４１】
表１０において、Δｆは副搬送波間隔（ｓｕｂｃａｒｒｉｅｒ ｓｐａｃｉｎｇ、ＳＣＳ）を意味する。ＤＬキャリアＢＷＰ（ｂａｎｄｗｉｄｔｈ ｐａｒｔ）に対するμとＣＰ（ｃｙｃｌｉｃ ｐｒｅｆｉｘ）とＵＬキャリアＢＷＰ（ｂａｎｄｗｉｄｔｈ ｐａｒｔ）に対するμとＣＰ（ｃｙｃｌｉｃ ｐｒｅｆｉｘ）は上りリンクシグナリングにより端末に設定される。
【０１４２】
表１１は一般ＣＰの場合、各ＳＣＳに対するスロット当たりのシンボル数（Ｎｓｙｍｂｓｌｏｔ）、フレーム当たりのスロット数（Ｎｓｌｏｔｆｒａｍｅ、μ）及びサブフレーム当たりのスロット数（Ｎｓｌｏｔｓｕｂｆｒａｍｅ、μ）を示す。
【０１４３】
【表１１】
0006940684.tif 000030
【０１４４】
表１２は拡張ＣＰの場合、各ＳＣＳに対するスロット当たりのシンボル数（Ｎｓｙｍｂｓｌｏｔ）、フレーム当たりのスロット数（Ｎｓｌｏｔｆｒａｍｅ,μ）及びサブフレーム当たりのスロット数（Ｎｓｌｏｔｓｕｂｆｒａｍｅ,μ）を示す。
【０１４５】
【表１２】
0006940684.tif 000031
【０１４６】
このように、ＮＲシステムでは、ＳＣＳ（ｓｕｂｃａｒｒｉｅｒ ｓｐａｃｉｎｇ）によって１サブフレームを構成するスロットの数が変更される。各スロットに含まれたＯＦＤＭシンボルはＤ（ＤＬ）、Ｕ（ＵＬ）、Ｘ（ｆｌｅｘｉｂｌｅ）のうちのいずれか一つに該当する。ＤＬ送信はＤ又はＸシンボルで行われ、ＵＬ送信はＵ又はＸシンボルで行われる。なお、Ｆｌｅｘｉｂｌｅリソース（例えば、Ｘシンボル）は予約リソース、その他のリソース又は未知のリソースとも称される。
【０１４７】
ＮＲにおいて、一つのＲＢ（ｒｅｓｏｕｒｃｅ ｂｌｏｃｋ）は周波数ドメインで１２個のサブキャリアに該当する。ＲＢは多数のＯＦＤＭシンボルを含む。ＲＥ（ｒｅｓｏｕｒｃｅ ｅｌｅｍｅｎｔ）は１サブキャリア及び１ＯＦＤＭシンボルに該当する。従って、１ＲＢ内の１ＯＦＤＭシンボル上には１２ＲＥが存在する。
【０１４８】
キャリアＢＷＰは連続するＰＲＢ（ｐｈｙｓｉｃａｌ ｒｅｓｏｕｒｃｅ ｂｌｏｃｋ）のセットと定義される。キャリアＢＷＰは簡略にＢＷＰとも称される。一つのＵＥには最大４個のＢＷＰが上りリンク／下りリンクの各々について設定される。複数ＢＷＰが設定されても、所定時間の間には一つのＢＷＰが活性化される。但し、端末にＳＵＬ（ｓｕｐｐｌｅｍｅｎｔａｒｙ ｕｐｌｉｎｋ）が設定される場合、さらに４個のＢＷＰがＳＵＬについて設定され、所定時間の間に一つのＢＷＰが活性化される。端末は活性化されたＤＬ ＢＷＰから外れると、ＰＤＳＣＨ、ＰＤＣＣＨ、ＣＳＩ−ＲＳ（Ｃｈａｎｎｅｌ ｓｔａｔｅ ｉｎｆｏｒｍａｔｉｏｎ − ｒｅｆｅｒｅｎｃｅ ｓｉｇｎａｌ）又はＴＲＳ（ｔｒａｃｋｉｎｇ ｒｅｆｅｒｅｎｃｅ ｓｉｇｎａｌ）を受信することを期待できない。また端末は活性化されたＵＬ ＢＷＰから外れると、ＰＵＳＣＨ又はＰＵＣＣＨを受信することを期待できない。
【０１４９】
図９は本発明に適用可能な自立的スロット構造（ｓｅｌｆ−ｃｏｎｔａｉｎｅｄ Ｓｌｏｔ ｓｔｒｕｃｔｕｒｅ）を示す図である。
【０１５０】
図９において、斜線領域（例：シンボルインデックス＝０）は下りリンク制御（ｄｏｗｎｌｉｎｋ ｃｏｎｔｒｏｌ）領域を示し、黒色領域（例：シンボルインデックス＝１３）は上りリンク制御（ｕｐｌｉｎｋ ｃｏｎｔｒｏｌ）領域を示す。それ以外の領域（例：シンボルインデックス＝１〜１２）は下りリンクデータ送信のために使用されることもでき、上りリンクデータ送信のために使用されることもできる。
【０１５１】
かかる構造によって、基地局及びＵＥは一つのスロット内でＤＬ送信とＵＬ送信を順に行うことができ、一つのスロット内でＤＬデータを送受信し、これに対するＵＬ ＡＣＫ／ＮＡＣＫも送受信することができる。結果的には、かかる構造により、データ送信エラー発生時にデータ再送信までかかる時間を減らすことができ、最終データの伝達遅延を最小化することができる。
【０１５２】
かかる自立的スロット構造において、基地局とＵＥが送信モードから受信モードへの転換又は受信モードから送信モードへの転換のためには、一定時間長さの時間ギャップ（ｔｉｍｅ ｇａｐ）が必要である。このために、自立的スロットにおいて、下りリンク（ＤＬ）から上りリンク（ＵＬ）に転換される時点の一部のＯＦＤＭシンボルは、ガード区間（ｇｕａｒｄ ｐｅｒｉｏｄ、ＧＰ）として設定される。
【０１５３】
上記説明では、自立的スロット構造がＤＬ制御領域及びＵＬ制御領域を全て含む場合を説明したが、制御領域は自立的スロット構造に選択的に含まれることができる。即ち、本発明による自立的スロット構造は、図７のようにＤＬ制御領域及びＵＬ制御領域を全て含む場合だけではなく、ＤＬ制御領域又はＵＬ制御領域のみを含む場合も含む。
【０１５４】
一例として、スロットは様々なスロットフォーマットを有する。この時、各スロットのＯＦＤＭシンボルは、下りリンク（‘Ｄ’と表記）、フレキシブル（‘Ｘ’と表記）、上りリンク（‘Ｕ’と表記）に分類される。
【０１５５】
従って、下りリンクスロットにおいて、ＵＥは下りリンク送信が‘Ｄ’及び‘Ｘ’シンボルのみで発生すると仮定できる。同様に、上りリンクスロットにおいて、ＵＥは上りリンク送信が‘Ｕ’及び‘Ｘ’シンボルのみで発生すると仮定できる。
【０１５６】
次世代システムでは広い周波数帯域を使用し、様々なサービス或いは要求事項の支援を志向する。一例として、３ＧＰＰのＮＲ要求事項では、代表シナリオの一つであるＵＲＬＬＣ（Ｕｌｔｒａ Ｒｅｌｉａｂｌｅ ａｎｄ Ｌｏｗ Ｌａｔｅｎｃｙ Ｃｏｍｍｕｎｉｃａｔｉｏｎｓ）の場合、０.５ｍｓのユーザプレーンの遅延時間とＸバイトのデータを１ｍｓ内に１０^−５のエラー率以内で送信しなければならない低遅延高信頼の要求事項を有する。一般的にはｅＭＢＢ（ｅｎｈａｎｃｅｄ Ｍｏｂｉｌｅ ＢｒｏａｄＢａｎｄ）はトラフィック容量が大きいが、ＵＲＬＬＣトラフィックはファイルサイズが数十ないし数百バイト以内であり、散発的に発生する互いに異なる特徴を有する。従って、ｅＭＢＢには送信率を極大化し、制御情報のオーバーヘッドを最小化する送信が要求され、ＵＲＬＬＣには短いスケジューリング時間単位と信頼性のある送信方法が要求される。
【０１５７】
応用分野或いはトラフィックの種類によっては、物理チャネルの送受信に仮定／使用する基準時間単位が様々である。基準時間は特定の物理チャネルをスケジュールする基本単位であり、該当スケジューリングユニットを構成するシンボル数及び／又は副搬送波間隔などによって基準時間単位が異なる。本発明の実施例では、説明の便宜のために、基準時間単位としてスロットとミニスロット（Ｍｉｎｉ−Ｓｌｏｔ）に基づいて説明する。スロットは、一例として、一般的なデータトラフィック（例えば、ｅＭＢＢ）に使用されるスケジューリング基本単位である。ミニスロットは時間ドメインにおいてスロットより時間区間が小さく、より特別な目的のトラフィック或いは通信方式（例えば、ＵＲＬＬＣ又は非免許帯域又はミリ波（ｍｉｌｌｉｍｅｔｅｒ ｗａｖｅ）など）で使用するスケジューリング基本単位である。しかし、これは実施例に過ぎず、ｅＭＢＢがミニスロットに基づいて物理チャネルを送受信する場合、或いはＵＲＬＬＣや他の通信技法がスロットに基づいて物理チャネルを送受信する場合にも本発明の内容を拡張することができる。
【０１５８】
早いＣＳＩ報告
【０１５９】
より厳しい信頼度及び遅延要求事項を支援するために、ＣＳＩフィードバックもより迅速かつ正確である必要がある。より迅速かつ正確なＣＳＩフィードバックは、ネットワークが該当端末に対してより効率的なスケジューリングを行うために必要である。このために、特定のセル及び／又はＣＳＩプロセスに対する端末のＣＳＩ報告が、既存のＵＬ承認内のＣＳＩ要求からＣＳＩ報告までのタイミングより短いタイミングに該当する時点で行われるように規定することができる。特徴的には、セル及び／又はＣＳＩプロセスに対してサービスタイプ及び／又はＢＬＥＲ（Ｂｌｏｃｋ ｅｒｒｏｒ ｒａｔｅ）要求事項などが異なるように設定され、特定のサービスタイプ及び／又はＢＬＥＲ要求事項に対するＣＳＩフィードバックがＵＬ承認によりスケジュールされたＵＬ−ＳＣＨ送信タイミング以外の別のタイミング（例えば、既存のＵＬ承認内のＣＳＩ要求からＣＳＩ報告までのタイミングより短いタイミングに該当する時点）に行われるように規定することができる。この明細書において、既存のタイミングより早いタイミングにＣＳＩ報告が行われることを“早いＣＳＩ報告”という。
【０１６０】
特徴的には、ＵＬ承認によりスケジュールされたＵＬ−ＳＣＨ（ｕｐｌｉｎｋ ｓｈａｒｅｄ Ｃｈａｎｎｅｌ）送信タイミング以外の他のタイミングに、早いＣＳＩ報告のためのＰＵＳＣＨ送信が行われるように規定することができ、これは該当ＵＬ承認により複数のＰＵＳＣＨ送信が行われ、一つはＡ−ＣＳＩ ｏｎｌｙ ＰＵＳＣＨ送信であり、他の一つはＰＵＳＣＨ ｗｉｔｈ ＵＬ−ＳＣＨ送信を含むことである。ここで、Ａ−ＣＳＩ ｏｎｌｙ ＰＵＳＣＨはＡ−ＣＳＩのみを含むＰＵＳＣＨ送信を意味し、ＰＵＳＣＨ ｗｉｔｈ ＵＬ−ＳＣＨはＵＬ承認によるＵＬ−ＳＣＨを含むＰＵＳＣＨ送信（即ち、一般的なＰＵＳＣＨ）を意味する。一例として、ＵＬ承認−ｔｏ−ＰＵＳＣＨ ｗｉｔｈ ＵＬ−ＳＣＨ送信タイミングがｘサブフレーム（又はスロット）であるとする時、ＵＬ承認からＡ−ＣＳＩ ｏｎｌｙ ＰＵＳＣＨ送信タイミングはｙサブフレーム（又はスロット）であり、ｙ＜ｘである。又は早いＣＳＩ報告は、Ａ−ＣＳＩ ｏｎｌｙ ＰＵＳＣＨ送信条件を満たす場合に限って有効になる（ｅｎａｂｌｅ）ように規定できる。
【０１６１】
早いＣＳＩ報告はＰＵＳＣＨで送信されるか又はＰＵＣＣＨ形態のチャネルで送信される。早いＣＳＩ報告がどのチャネルで送信されるかは、上位層信号により設定されるか、又はＤＣＩにより指示される。早いＣＳＩ報告がＰＵＳＣＨで送信される場合、ＲＢ割り当てはＵＬ承認ＤＣＩにより指示されたリソース割り当てをそのまま従うこともできる。しかし、この場合、ＵＬ−ＳＣＨスケジューリングのために多いリソースが割り当てられた時、同じリソースを早いＣＳＩ報告に用いて、相対的に過度なリソース浪費を招くことができる。従って、ＵＬ承認ＤＣＩのリソース割り当てのうちの一部のみを使用して早いＣＳＩ報告を行うことができる。一例として、予め定義した／約束した又は上位層信号により設定された或いはＤＣＩにより指示された特定の数のＲＢを、割り当てられたリソースのうちの最低（又は最高）のＲＢインデックスのＲＢから使用して早いＣＳＩ報告を行うように規定することができる。他の例として、予め定義した／約束した又は上位層信号により設定された或いはＤＣＩにより指示された別の開始ＲＢインデックス長に該当するリソースを使用して、早いＣＳＩ報告を行うことができる。さらに他の方式として、早いＣＳＩ報告のための別のリソースが上位層信号により設定されるか或いはＤＣＩにより指示されることができる。さらに他の方式として、もし早いＣＳＩ報告のタイミングに以前のＵＬ承認によりスケジュールされたＰＵＳＣＨが存在する場合、該当ＰＵＳＣＨにピギーバックされることもできる。この時、より特徴的には、該当ＰＵＳＣＨに以前のＵＬ承認によりトリガーされたＣＳＩが存在する場合は最優先として（ｏｖｅｒｒｉｄｉｎｇ）、早いＣＳＩ報告に該当するＣＳＩのみを送信するように規定することもできる。
【０１６２】
早いＣＳＩ報告がＰＵＳＣＨで送信される場合、ＭＣＳはＵＬ承認ＤＣＩにより指示されたＭＣＳをそのまま従うこともできるが、より高い信頼度でＣＳＩ送信するためには、予め定義された変調次数（例えば、ＱＰＳＫ）を使用して早いＣＳＩ報告を行うように規定することもできる。
【０１６３】
ＣＳＩ要求により早いＣＳＩ報告がトリガーされる場合、ＰＵＣＣＨで該当早いＣＳＩ報告が送信されるように規定できる。この動作のために、上位層信号によりＰＵＣＣＨリソースが設定されるか、或いはＣＳＩ要求により早いＣＳＩ報告のためのＰＵＣＣＨリソースが指示されることができる。より特徴的には、ＣＳＩ要求の特定フィールドに特定のＰＵＣＣＨリソースが連動することができる。早いＣＳＩ報告のタイミングに他のＵＣＩのためのＰＵＣＣＨが存在する場合には、該当ＰＵＣＣＨにアグリゲーション（ａｇｇｒｅｇａｔｉｏｎ）して送信でき、この時、フォーマット適応（ｆｏｒｍａｔ ａｄａｐｔａｔｉｏｎ）を定義することができる。一例として、ＰＵＣＣＨフォーマット１でＨＡＲＱ−ＡＣＫが送信されるタイミングと早いＣＳＩ報告の送信タイミングが重畳する場合、ＰＵＣＣＨフォーマット３、４、５或いは新しいＰＵＣＣＨフォーマット（より一般的にはより大きいペイロードを支援するＰＵＣＣＨフォーマット）でフォーマット適応が行われるように規定することができる。
【０１６４】
早いＣＳＩ報告は特定のターゲットＢＬＥＲ及び／又は特定のサービスタイプ（例えば、ＵＲＬＬＣ）及び／又は特定のＴＴＩ長及び／又は特定のニューマロロジーに該当するセル或いはＣＳＩプロセスに対するＣＳＩ報告に限って行われるように規定できる。特徴的には、ＣＳＩ要求時、ＣＳＩ要求が指示できる各状態についてターゲットＢＬＥＲ及び／又はサービスタイプ及び／又は特定のＴＴＩ長及び／又は特定のニューマロロジーが連動することができ、状態ごとにＣＳＩ報告のタイミングが決定される。他の方式として、ＣＳＩ要求時、各状態について報告タイミングが上位層信号により明示的に設定されるか、或いは暗示的にマッピングされて、それによって状態ごとにＣＳＩ報告のタイミングが決定されることができる。さらに他の方式として、セル及び／又はＣＳＩプロセスごとにターゲットＢＬＥＲ及び／又はサービスタイプ及び／又は特定のＴＴＩ長及び／又は特定のニューマロロジーが連動し、セル及び／又はＣＳＩプロセスごとに別の報告タイミングを有するように規定することができる。一例として、ＵＬ承認−ｔｏ−ＰＵＳＣＨ ｗｉｔｈ ＵＬ−ＳＣＨ送信タイミングが４サブフレーム（又はスロット）であり、ＵＬ承認からＡ−ＣＳＩ ｏｎｌｙ ＰＵＳＣＨ送信タイミングは２サブフレーム（又はスロット）であるとする時、ＣＳＩ要求ビットの特定の状態に該当するＣＳＩプロセスａ、ＣＳＩプロセスｂ、ＣＳＩプロセスｃが各々１０^−１、１０^−１、１０^−５に該当するＢＬＥＲ要求事項を有する場合、端末はＣＳＩ要求を含むＵＬ承認ＤＣＩ受信時点から２サブフレーム（又はスロット）後にＣＳＩプロセスｃを報告し、４サブフレーム（又はスロット）後にＣＳＩプロセスａとＣＳＩプロセスｂを報告することができる。
【０１６５】
早いＣＳＩ報告又は"特定のターゲットＢＬＥＲ及び／又は特定のサービスタイプ（例えば、ＵＲＬＬＣ）及び／又は特定のＴＴＩ長及び／又は特定のニューマロロジーに該当するセル或いはＣＳＩプロセスに対するＣＳＩ報告"のための測定を行う参照リソースのタイミングも、既存の参照リソースとは別のタイミング（特徴的には既存より短いタイミング）に定義される。より一般的には、特定のターゲットＢＬＥＲ及び／又は特定のサービスタイプ（例えば、ＵＲＬＬＣ）及び／又は特定のＴＴＩ長及び／又は特定のニューマロロジーに該当するセル或いはＣＳＩプロセスに対して、既存とは異なる別のタイミング（特徴的には既存より短いタイミング）を有するＣＳＩ参照リソースが設定されることができる。ＣＳＩ参照リソースに該当するタイミングは、ＣＳＩ要求時、各状態に対して異なるように連動するか、又は上位層信号により設定されるか、或いはＤＣＩにより指示され、又はセル及び／又はＣＳＩプロセスごとに異なるように連動するか、上位層信号により設定されるか、或いはＤＣＩにより指示されることもできる。
【０１６６】
早いＣＳＩ報告又は"特定のターゲットＢＬＥＲ及び／又は特定のサービスタイプ（例えば、ＵＲＬＬＣ）及び／又は特定のＴＴＩ長及び／又は特定のニューマロロジーに該当するセル或いはＣＳＩプロセスに対するＣＳＩ報告"のための測定を行う参照リソースにおいて、ＰＤＳＣＨ ＣＱＩ計算時に参照となるＴＴＩ長（即ち、スケジューリングユニットサイズ）及び／又はニューマロロジーは、既存の一般ＣＳＩ報告のためのものとは異なるように独立して設定される。また早いＣＳＩ報告のための測定を行う参照リソースにおいて、ＰＤＳＣＨ ＣＱＩの計算時に基準となるＲＳ（例えば、既存の一般ＣＳＩ報告のためのＣＳＩ−ＲＳとは異なるＣＳＩ−ＲＳ、及び／又はＣＳＩ−ＲＳリソースインデックス、及び／又はＣＳＩ−ＲＳ＋ＤＭＲＳ、及び／又はＤＭＲＳ ｏｎｌｙ）が既存の一般ＣＳＩ報告のためのものとは異なるように独立して設定されることができる。
【０１６７】
特定のセル或いはＣＳＩプロセスに対するＣＳＩフィードバックのターゲットＢＬＥＲ及び／又はサービスタイプ（例えば、ＵＲＬＬＣ）及び／又はＴＴＩ長及び／又はニューマロロジーが異なる場合、該当ＣＳＩフィードバックの内容も異なるように決定される。特徴的には、該当セル／ＣＳＩプロセスに設定されたＣＳＩ報告モードの内容のうち、一部のみが報告されるように規定できる。一例として、端末はＲＩのみを報告するか或いは特定の副帯域ＣＱＩ／ＰＭＩのみを報告することができる。他の方式として、該当セル／ＣＳＩプロセスに設定されたＣＳＩ報告モードに従わず（予め約束したか又はシグナリングされた）よりコンパクトなモード（例えば、広帯域報告、モード１−０又は１−１）に該当する内容のみが報告されるように規定することができる。特徴的には、ＤＣＩのＣＳＩ要求フィールド或いはそれに準ずるフィールドで該当セル／ＣＳＩプロセスに対するＣＳＩ報告モードが連動するか、又は該当セル／ＣＳＩプロセスに対して実際に送信される内容（集合）が連動して、端末がそれに基づいてＣＳＩ報告に関する内容を決定することができる。さらに他の方式として、同じＣＳＩ報告モードについて、ターゲットＢＬＥＲ及び／又はサービスタイプ（例えば、ＵＲＬＬＣ）及び／又はＴＴＩ長及び／又はニューマロロジーごとに異なるように解約できる。より具体的には、ＣＳＩ報告モードを構成する内容組み合わせが異なるか及び／又は副帯域サイズが異なるか及び／又は実際報告される副帯域ＣＳＩ情報の数が異なるか及び／又は各内容のビットフィールドサイズが異なることができる。
【０１６８】
ＣＳＩ更新／計算関連能力（ＣＳＩ ｕｐｄａｔｅ／ｃａｌｃｕｌａｔｉｏｎ ｒｅｌａｔｅｄ ｃａｐａｂｉｌｉｔｙ）
【０１６９】
適切な量のＣＳＩフィードバックトリガー／報告動作を支援するために、端末はネットワークに最大の同時ＣＳＩ更新／計算能力を報告する必要がある。特徴的には、ターゲットＢＬＥＲ及び／又はサービスタイプ及び／又はＴＴＩ長及び／又はニューマロロジー及び／又はプロセシング時間ごとに、或いはこれらの組み合わせごとに、最大の同時ＣＳＩ計算／更新能力をセル或いはＣＳＩプロセス個数単位でネットワークに報告するように規定できる。或いは、ターゲットＢＬＥＲ及び／又はサービスタイプ及び／又はＴＴＩ長及び／又はニューマロロジー及び／又はプロセシング時間ごとに、或いはこれらの組み合わせごとに、同時に報告する最大のＣＳＩ報告個数に対する能力を端末がネットワークに報告するように規定できる。能力シグナリングは帯域又は帯域組み合わせごとに（ｐｅｒ ｂａｎｄ ｐｅｒ ｂａｎｄ Ｃｏｍｂｉｎａｔｉｏｎ）独立して、又は異なるように定義される。即ち、端末には最大の同時ＣＳＩ更新／計算能力以上のセル或いはＣＳＩプロセスに対する更新が要求されない。即ち、端末は最大の同時ＣＳＩ更新／計算能力内のセル或いはＣＳＩプロセスに対する更新のみを行う。
【０１７０】
特定のターゲットＢＬＥＲ及び／又は特定のサービスタイプ及び／又は特定のＴＴＩ長及び／又は特定のニューマロロジー及び／又は特定のプロセシング時間に該当するセル或いはＣＳＩプロセスに対するＣＳＩ報告により高い優先順位を与えて先に更新されるように規定することができる。特徴的には、より低いＢＬＥＲ及び／又はより厳しいサービス／遅延の要求事項に該当する及び／又はより短いＴＴＩ長及び／又はより大きい副搬送波間隔及び／又はより短いプロセシング時間に対応するセル或いはＣＳＩプロセスに対するＣＳＩ報告により高い優先順位を与えて先に更新されるように規定することができる。特に、この動作は、複数のＣＳＩ報告に対するトリガー時点が同一であるか、又はより高い優先順位を有するＣＳＩ報告に対するトリガー時点がそうではないＣＳＩ報告に対するトリガー時点に比べて相対的に遅くても、高い優先順位を有するＣＳＩ報告が先に更新されるように適用できる。またこの動作は、複数のＣＳＩ報告に対する報告時点が同一であるか、又はより高い優先順位を有するＣＳＩ報告に対する報告時点がそうではないＣＳＩ報告に対する報告時点に比べて相対的に遅くても、より高い優先順位を有するＣＳＩ報告が先に更新されるように適用できる。
【０１７１】
最大ＣＳＩプロセスに対する端末能力（ＵＥ ｃａｐａｂｉｌｉｔｙ ｏｎ ｍａｘｉｍｕｍ ＣＳＩ Ｐｒｏｃｅｓｓ）
【０１７２】
現在、特定帯域の各コンポーネントキャリアに対して送信モード（ｔｒａｎｓｍｉｓｓｉｏｎ ｍｏｄｅ；ＴＭ）１０が設定された端末が支援可能な最大のＣＳＩプロセス数を示す端末能力（ＵＥ ｃａｐａｂｉｌｉｔｙ）報告シグナリングが定義されている。ｓＴＴＩ動作に該当するより早いＣＳＩ報告が定義される場合、ＣＳＩ測定からＣＳＩ報告までのプロセシング時間も既存の１ｍｓ ＴＴＩ動作でのプロセシング時間とは異なるように定義できる。従って、端末は、特定帯域の各コンポーネントキャリアに対してＴＭ１０が設定された端末が支援可能な最大のＣＳＩプロセス数を示す能力を報告する時、ターゲットＢＬＥＲ及び／又はサービスタイプ及び／又はニューマロロジー及び／又はＴＴＩ長及び／又はＤＬとＵＬのＴＴＩ長の組み合わせ及び／又はプロセシング時間ごとに、或いはこれらの組み合わせごとに、独立して報告するように規定することができる。また端末能力シグナリングは帯域又は帯域組み合わせごとに独立して報告される。
【０１７３】
ネットワーク又は基地局は、端末能力シグナリングにより該当帯域の該当コンポーネントキャリアに対してＣＳＩプロセスを設定する時、１ｍｓ ＴＴＩ用及び／又はｓＴＴＩ用のＣＳＩプロセスの設定可能な最大個数を把握して、それに合わせて設定することができる。
【０１７４】
ＴＭがサブフレームタイプ（ＭＢＳＦＮ又は非ＭＢＳＦＮ）によって変更される場合のＣＳＩフィードバック（ＣＳＩ ｆｅｅｄｂａｃｋ ｉｆ ＴＭ ｉｓ ｃｈａｎｇｅｄ ｄｅｐｅｎｄｉｎｇ ｏｎ ｓｕｂｆｒａｍｅ ｔｙｐｅ（ＭＢＳＦＮ ｏｒ Ｎｏｎ−ＭＢＳＦＮ））
【０１７５】
サブフレームより短い長さのＴＴＩ支援が考慮されているが、かかるｓＴＴＩの導入と共に、サブフレームのタイプによって該当サブフレーム内のｓＴＴＩで送信されるＰＤＳＣＨのＴＭが変更される方式が論議されている。一例として、非ＭＢＳＦＮサブフレームに対して設定されたＴＭとは異なるＤＭＲＳ基盤のＴＭがＭＢＳＦＮサブフレームのために独立して設定される方式が論議されている。かかる動作が支援される場合、ＣＳＩフィードバック動作に関連して以下のように提案する。
【０１７６】
現在のＬＴＥ標準によれば、端末に設定されたＴＭによって設定可能なＣＳＩ報告モードも決定される。特徴的には、非ＭＢＳＦＮサブフレームに対して設定されたＴＭとは異なるＤＭＲＳ基盤のＴＭがＭＢＳＦＮサブフレームのために独立して設定される場合、該当ＴＭに対応する各々のＣＳＩ報告モードが設定されるように規定することができる。この時、ＣＳＩ報告モードの決定方式を以下のように提案する。
【０１７７】
（方法１）ＣＳＩをトリガーするＵＬ承認ＤＣＩが送信されるｓＴＴＩが属するサブフレームのタイプ（ＭＢＳＦＮ又は非ＭＢＳＦＮサブフレーム）によって決定されたＴＭに対応するＣＳＩ報告モードが該当ＣＳＩの報告に使用されるように規定する。
【０１７８】
（方法２）ＣＳＩを報告するｓＴＴＩが属するサブフレームのタイプによって決定されたＴＭに対応するＣＳＩ報告モードが該当ＣＳＩの報告に使用されるように規定する。
【０１７９】
（方法３）非ＭＢＳＦＮサブフレームに対して設定されたＴＭ或いはデフォルト（ｄｅｆａｕｌｔ）ＴＭに対応するＣＳＩ報告モードを常に使用するように規定する。
【０１８０】
（方法４）非周期的ＣＳＩトリガー時にＣＳＩ報告モードが明示的に指示される。或いはＣＳＩ要求ビットが指示する状態ごとに暗示的に連係されたＣＳＩ報告モードが該当ＣＳＩの報告に使用されるように規定する。
【０１８１】
非ＭＢＳＦＮサブフレームに対して設定されたＴＭとは異なるＤＭＲＳ基盤のＴＭがＭＢＳＦＮサブフレームのために独立して設定される場合、ＣＳＩをトリガーするＵＬ承認ＤＣＩが送信されるｓＴＴＩとＣＳＩを報告するｓＴＴＩが各々異なるタイプのサブフレーム（例えば、ＭＢＳＦＮ又は非ＭＢＳＦＮサブフレーム）に属すると、ＣＳＩ参照リソースの決定において、ＣＳＩ報告時点のＴＭと同一でないＴＭを有するｓＴＴＩは除いてＣＳＩ参照リソースを決定することができる。
【０１８２】
ＵＲＬＬＣのためのＵＬ−ＳＣＨがない非周期的ＣＳＩ（Ａｐｅｒｉｏｄｉｃ ＣＳＩ ｗｉｔｈｏｕｔ ＵＬ−ＳＣＨ ｆｏｒ ＵＲＬＬＣ）
【０１８３】
現在のＬＴＥ標準によれば、以下の［参照内容］の条件を満たすと、端末はＵＬ−ＳＣＨのための送信ブロック（ｔｒａｎｓｐｏｒｔ ｂｌｏｃｋ；ＴＢ）なしにトリガーされた非周期的ＣＳＩフィードバックのみを行うことができる。説明の便宜のために、以上のようにＵＬ−ＳＣＨなしにＵＣＩ（ｕｐｌｉｎｋ ｃｏｎｔｒｏｌ ｉｎｆｏｒｍａｔｉｏｎ）のみをＰＵＳＣＨで送信することをＵＣＩ ｏｎｌｙ ＰＵＳＣＨフィードバックをいう。
【０１８４】
［参照内容］ＵＬ−ＳＣＨのない非周期的ＣＳＩ報告のための条件（Ｃｏｎｄｉｔｉｏｎｓ ｆｏｒ ａｐｅｒｉｏｄｉｃ ＣＳＩ ｒｅｐｏｒｔ ｗｉｔｈｏｕｔ ＵＬ−ＳＣＨ）
【０１８５】
"ＤＣＩフォーマット０が使用され、Ｉ_ＭＣＳ＝２９又はＤＣＩフォーマット４が使用され、１ＴＢのみが有効（ｅｎａｌｂｅ）であり、そのＴＢのＩ_ＭＣＳ＝２９であり、送信レイヤ数が１である時、
【０１８６】
ＣＳＩ要求ビットフィールドが１ビットであり、かつ非周期的ＣＳＩ報告がトリガーされ、Ｎ_ＰＲＢが４以下である場合、
【０１８７】
ＣＳＩ要求ビットフィールドが２ビットであり、かつ一つのサービングセルに対して非周期的ＣＳＩ報告がトリガーされ、Ｎ_ＰＲＢが４以下である場合、
【０１８８】
ＣＳＩ要求ビットフィールドが２ビットであり、かつ複数のサービングセルに対して非周期的ＣＳＩ報告がトリガーされ、Ｎ_ＰＲＢが２０以下である場合、
【０１８９】
ＣＳＩ要求ビットフィールドが２ビットであり、かつ一つのＣＳＩプロセスに対して非周期的ＣＳＩ報告がトリガーされ、Ｎ_ＰＲＢが４以下である場合、
【０１９０】
又はＣＳＩ要求ビットフィールドが２ビットであり、かつ複数のＣＳＩプロセスに対して非周期的ＣＳＩ報告がトリガーされ、Ｎ_ＰＲＢが２０以下である場合、"
【０１９１】
もしＰＵＳＣＨ送信に時間繰り返しが適用された場合、ＵＬ−ＳＣＨのないＰＵＳＣＨでのＣＳＩ報告トリガーの条件は、既存とは異なるように定義される必要がある。特徴的には、ＵＬ−ＳＣＨのないＰＵＳＣＨでのＣＳＩ報告トリガーの条件がＭＣＳ（ｍｏｄｕｌａｔｉｏｎ ａｎｄ ｃｏｄｉｎｇ ｓｃｈｅｍｅ）インデックス及び／又はＮ_ＰＲＢ以外に該当ＰＵＳＣＨに適用される繰り返し回数を共に考慮するように規定することができる。一例として、ＰＵＳＣＨ繰り返しが２回に設定／指示された端末の場合、本来のＵＬ−ＳＣＨのないＰＵＳＣＨでのＣＳＩ報告トリガー条件において、“Ｎ_ＰＲＢの上限値（Ｕｐｐｅｒ ｌｉｍｉｔ）＊繰り返し回数”を新しいＮ_ＰＲＢの上限値として認識し、端末はそれによってＵＬ−ＳＣＨのないＰＵＳＣＨでのＣＳＩ報告トリガーの有無を決定するように規定することができる。
【０１９２】
時間繰り返しを用いたＵＣＩフィードバック（ＵＣＩ ｆｅｅｄｂａｃｋ ｗｉｔｈ ｔｉｍｅ ｒｅｐｅｔｉｔｉｏｎ）
【０１９３】
ＵＬチャネル送信の信頼度向上のために時間繰り返しが考えられるが、送信されるＵＣＩフィードバックも時間繰り返しにより信頼度向上を期待することができる。但し、ＵＣＩフィードバックを運搬するＰＵＳＣＨの繰り返し回数だけ常にＵＣＩフィードバックの時間繰り返しを適用することは、遅延の側面では非効率的である。従って、以下のような方式を提案される。ここで、ＵＣＩとは、ＣＳＩだけではなく、ＨＡＲＱ−ＡＣＫ／ＳＲなども含む。
【０１９４】
オプション１：ＰＵＳＣＨの時間繰り返し回数と同じ回数の時間繰り返しをＵＣＩフィードバックにも適用できる。
【０１９５】
オプション２：ＰＵＳＣＨの時間繰り返し回数より少ない数の時間繰り返しをＵＣＩフィードバックに適用することができる。この場合、ＵＣＩフィードバックに対する時間繰り返し回数は、ＰＵＳＣＨの時間繰り返し回数とは別の独立した値で予め定義されるか、或いは上位層信号により設定されるか、或いは物理層信号により指示される。また時間繰り返しが適用されたＰＵＳＣＨのうち、どのＰＵＳＣＨにＵＣＩフィードバックが含まれて送信されるかに関する情報が、予め定義されるか、或いは上位層信号により設定されるか、或いは物理層信号により指示される。より特徴的には、各繰り返し内のＵＣＩがマッピングされるＲＥ数は同一に設定される。この場合、ＵＣＩマッピング順序は繰り返し全体に対して時間軸で分散される形態である。
【０１９６】
さらに他の方式として、繰り返し内のＵＣＩがマッピングされるＲＥ数が異なることもできる。より具体的には、ＵＣＩがマッピングされるＲＥ数は、最初の繰り返しから増加して一定水準を超えると次の繰り返し（又はサブフレーム／ＴＴＩ）にマッピングされる形態である。
【０１９７】
ＬＴＥ標準によれば、ＵＣＩがＰＵＳＣＨで送信される場合、該当ＵＣＩ送信のための符号化されたシンボル（即ち、ＬＴＥ標準でのＲＥ）の数を計算し、特にＰＵＳＣＨでＣＳＩが送信される時には以下のように計算される。
【０１９８】
［参照１］
0006940684.tif 000032
【０１９９】
［参照２］
0006940684.tif 000033
【０２００】
即ち、ＰＵＳＣＨ時間繰り返しが適用されると、各繰り返しで使用されるＵＣＩ送信のための符号化されたシンボル（又はＲＥ）の数を計算する時、ベータオフセット
0006940684.tif 000034
について以下の事項が考慮される。
【０２０１】
オプション３：ＰＵＳＣＨに時間繰り返しが適用される場合、既に設定／指示された値より高いベータオフセットが適用されて、繰り返し送信中のＰＵＳＣＨのうちの一つ（或いは一部）のＰＵＳＣＨ ＴＴＩにさらに多いＲＥを使用してＵＣＩフィードバックが送信されるように規定することができる。ベータオフセット値は時間繰り返しの回数（グループ）ごとに別々に独立して（異なるように）上位層信号により設定されるか、或いは物理層信号により指示される。他の方式としては、既存の設定或いは指示されたベータオフセット値にＰＵＳＣＨ繰り返し回数を乗じた値を活用して、ＰＵＳＣＨのための符号化されたシンボル数又はＲＥ数を決定することもできる。
【０２０２】
オプション４：ＰＵＳＣＨに時間繰り返しが適用される場合、ＵＣＩフィードバックにも時間繰り返しが適用されるか、又はより高いベータオフセットが適用されて一つ（或いは一部）のＰＵＳＣＨ ＴＴＩにもっと多いＲＥを使用するかが予め定義されるか、或いは上位層信号により設定されるか、或いは物理層信号により指示される。
【０２０３】
互いに異なる要求事項に対するＣＱＩテーブル（ＣＱＩ ｔａｂｌｅ ｆｏｒ ｄｉｆｆｅｒｅｎｔ ｒｅｑｕｉｒｅｍｅｎｔｓ）
【０２０４】
既存の通信システムにおいて、ＣＱＩ報告は１０^−１のＢＬＥＲ要求事項に基づいて計算される。既存のＢＬＥＲ要求事項とは異なる要求事項（例えば、１０^−１より低いＢＬＥＲ）を支援するためには、新しいＣＱＩ導出方法が必要である。例えば、１０^−１より低いＢＬＥＲ要求事項を有するチャネルが存在する場合、該当チャネルに関連するＣＱＩテーブルは１０^−１のＢＬＥＲ要求事項を有するＣＱＩテーブルとは異なる。
【０２０５】
各チャネルはチャネルごとに特定の要求事項を有する。要求事項はサービスタイプ、サービス品質（Ｑｕａｌｉｔｙ ｏｆ Ｓｅｒｖｉｃｅ；ＱｏＳ）、ターゲットＢＬＥＲ（Ｂｌｏｃｋ Ｅｒｒｏｒ Ｒａｔｅ）、送信信頼度、送信遅延、ＴＴＩ長、ニューマロロジー及びプロセシング時間のうちのいずれか一つに関連する。特定のチャネルについて要求事項のうちのいずれか一つが考慮又は設定される。端末又は基地局に複数のチャネルが設定される場合、各チャネルごとに要求事項が異なる。
【０２０６】
ＢＬＥＲ要求事項だけではなく、例示した他の要求事項ごとに別のＣＱＩテーブルが定義されることができる。また一つ以上の要求事項がグルーピングされ、グルーピングされた要求事項に対するＣＱＩテーブルが定義されることができる。要求事項の種類又は要求事項のグループの種類によってもＣＱＩテーブルが変化する。上述したように、要求事項の水準によってＣＱＩテーブルが異なる。以下、端末がどのＣＱＩテーブルを使用してＣＱＩ報告を導出するかについて具体的に説明する。
【０２０７】
ＣＳＩリンク設定、ＣＳＩ測定設定及び／又はＣＳＩ報告設定のうちのいずれか一つを考慮して、各設定ごとに端末が使用するＣＱＩテーブルが設定される。例えば、上述した各要求事項ごとにＣＳＩリンク設定、ＣＳＩ測定設定及び／又はＣＳＩ報告設定のうちのいずれか一つが設定される。以後、設定されたＣＳＩリンク設定、ＣＳＩ測定設定及び／又はＣＳＩ報告設定のうちのいずれか一つとマッピングされるＣＱＩテーブルが決定される。例えば、ＵＲＬＬＣに対するＣＳＩとｅＭＢＢに対するＣＳＩが各々報告される時、ＵＲＬＬＣに対するＣＱＩテーブルとｅＭＢＢに対するＣＱＩテーブルが互いに異なるように決定される。
【０２０８】
端末固有（ＵＥ−ｓｐｅｃｉｆｉｃ）に該当端末が使用可能な一つ以上のＣＱＩテーブルが設定される。端末は基本テーブル（ｄｅｆａｕｌｔ ｔａｂｌｅ、ＣＱＩテーブル１）以外に更なるＣＱＩテーブル（ＣＱＩテーブル２）が設定されることができ、毎ＣＳＩフィードバックごとに基本テーブルに該当するＣＱＩインデックスと更なるＣＱＩテーブルのＣＱＩインデックスに関する情報を共に送信することができる。例えば、ＣＱＩテーブル１により導出されたＣＱＩインデックスａ及びＣＱＩテーブル２により導出されたＣＱＩインデックスｂがある場合、端末はＣＱＩインデックスａ及びＣＱＩインデックスｂをＣＳＩフィードバックとしてネットワークに送信する。また端末はＣＱＩインデックスｂをそのまま送信せず、ＣＱＩインデックスａに対するオフセット値（ＣＱＩオフセット）又はオフセット値に相応する情報で表現して送信する。広帯域／サブバンドに対する計算／報告時、互いに異なるＣＱＩテーブルに対するデルタ（Δ）値を常に共に増加させることと類似する。
【０２０９】
端末は自分が使用するＣＱＩテーブルに関する情報をＵＣＩに含めて送信する。ＣＳＩ（ＣＱＩが含まれる）フィードバックの時、端末はＣＱＩテーブルを指示する値を選択して送信する。ＣＱＩテーブルを指示する値はＣＱＩと共に送信される。又はＣＱＩテーブルを指示する値はＣＱＩとは別に、ＣＱＩより長い時間区間単位で送信されることもできる。
【０２１０】
各要求事項ごとに異なるＤＣＩフォーマット及び／又はサーチスペースのうちの一つ以上が定義される。グルーピングされた要求事項がある場合、要求事項のグループごとに異なるＤＣＩフォーマット及び／又はサーチスペースのうちのいずれか一つが定義されることもできる。端末が使用するＣＱＩテーブルは、受信した制御チャネルのＤＣＩフォーマット及び／又はサーチスペースに基づいて決定される。
【０２１１】
各要求事項ごとに異なるＲＮＴＩが端末に付与される。グルーピングされた要求事項がある場合、要求事項のグループごとに異なるＲＮＴＩが端末に付与されることもできる。端末は受信したチャネルがどのＲＮＴＩにＣＲＣマスキングされたかを判断して、ＲＮＴＩに基づいて使用するＣＱＩテーブルを決定する。
【０２１２】
ＣＳＩ送信要求ビットに各要求事項が連動する。グルーピングされた要求事項がある場合、要求事項のグループごとにＣＳＩ送信要求ビットが連動する。端末は受信したＣＳＩ送信要求ビットに基づいて使用するＣＱＩテーブルを決定する。
【０２１３】
ＣＳＩ送信をトリガーする又はＣＳＩ送信のためのチャネルをスケジュールする制御チャネルのＣＲＣ（例えば、Ｘビット）及び端末識別子（例えば、ＹビットのＲＮＴＩ）の間でビット数に差があり得る。端末識別子のビット数がＣＲＣより小さい場合（例えば、Ｘ＞Ｙ）、差に該当するビット（Ｘ−Ｙビット）の一部又は全部が、端末が使用するＣＱＩテーブルの指示に使用される。又は差に該当するビットの一部又は全部が、ＣＱＩオフセット値を指示するために使用される。差に該当するビットの一部又は全部は、端末が使用するＣＱＩテーブル及びＣＱＩオフセット値を全て指示するためにも使用される。
【０２１４】
ＣＱＩだけではなく、ＰＭＩ及びＲＩの報告時にも同様の動作が行われる。各要求事項ごとに別のＰＭＩを計算し、計算されたＰＭＩが共に報告されるか又はＰＭＩオフセットの形態で報告される。各要求事項ごとに別のＲＩが計算され、計算されたＲＩが共に報告されるか又はＲＩオフセットの形態で報告される。
【０２１５】
互いに異なる要求事項に対するＣＳＩ参照リソース（ＣＳＩ ｒｅｆｅｒｅｎｃｅ ｒｅｓｏｕｒｃｅ ｆｏｒ ｄｉｆｆｅｒｅｎｔ ｒｅｑｕｉｒｅｍｅｎｔｓ）
【０２１６】
端末が受信するＰＤＳＣＨの時間区間はＰＤＳＣＨごとに異なる。制御情報により設定／指示される一つ以上のＰＤＳＣＨのスケジューリング単位は、スロット、ミニスロット又は複数のスロットである。ある送信単位内でデータ受信が開始される時間区間は、スロットの最初のシンボルからであるか、又はスロット内の他の特定のシンボルからである。データが受信される時間区間が変化することもできるので、端末のＣＱＩ計算時に端末が仮定する参照信号の時間区間及びオーバーヘッドに対する定義が必要である。
【０２１７】
ＣＱＩ計算時、ＰＤＳＣＨのスケジューリング単位及び／又は時間区間によってＣＳＩ参照リソースが変化する。スケジューリング単位及び／又は時間区間は各々ＣＱＩテーブルに連動することもできる。データのスケジューリング単位及び／又は時間区間が固定していないので、参照信号の開始シンボル、終了シンボル、時間区間（例えば、シンボル、ミニスロット又はスロット数で設定可能）及び／又はレートマッチングパターンに関する情報が端末に予め設定されるか又は上位層信号により受信されることができる。
【０２１８】
ＣＱＩテーブルごとのＣＳＩ参照リソースが端末固有に設定／指示される。
【０２１９】
ＤＣＩフォーマット及び／又はサーチスペースに基づいて端末が仮定するＣＳＩ参照リソースが定義される。上述したように、各要求事項ごとに、互いに異なるＤＣＩフォーマット及び／又はサーチスペースのうちのいずれか一つが定義される。グルーピングされた要求事項がある場合、要求事項のグループごとに異なるＤＣＩフォーマット及び／又はサーチスペースのうちのいずれか一つが定義されることもできる。端末が仮定するＣＱＩテーブルは、受信した制御チャネルのＤＣＩフォーマット及び／又はサーチスペースによって変化する。
【０２２０】
各要求事項ごとに、ＣＳＩ参照リソースが異なるように決定／定義される。グルーピングされた要求事項がある場合、要求事項のグループごとにＣＳＩ参照リソースが異なるように決定／定義されることもできる。例えば、ターゲットＢＬＥＲが１０％である場合、ＣＳＩ参照リソースは、ＣＳＩ報告時点からｎ_{ＣＱＩ_ｒｅｆ}個以前のＴＴＩ、又はＣＳＩ報告時点からｎ_{ＣＱＩ_ｒｅｆ}個以前のＴＴＩより以前であり、かつｎ_{ＣＱＩ_ｒｅｆ}個以前のＴＴＩと最も近い有効ＴＴＩ（ｖａｌｉｄ ＴＴＩ）時点に位置するように決定／定義される。ターゲットＢＬＥＲが０.００１％である場合、ＣＳＩ参照リソースは、ＣＳＩ報告時点からｋ個以前のＴＴＩ、又はＣＳＩ報告時点からｋ個以前のＴＴＩより以前であり、かつｋ個以前のＴＴＩと最も近い有効ＴＴＩに決定／定義される。ｋはｎ_{ＣＱＩ_ｒｅｆ}より小さい値であり、端末に予め設定されるか、又は物理層や上位層により関連情報が受信される。端末はより厳しいＢＬＥＲ要求事項を有するＣＳＩについて、より最近のＣＳＩ測定結果を反映して報告することができる。
【０２２１】
ＣＳＩ参照信号を決定するための時点も定義する必要がある。ＣＳＩフィードバック時点とＣＳＩ参照リソースが位置する時点の時間差を導き出す時、以下の内容が考慮される。
【０２２２】
端末には複数のタイミングセットが予め設定され、動的にどのタイミングセットを使用するかが指示される。例えば、第１タイミングセットは、ＣＳＩフィードバック時点からｘシンボル以前の時点より先でありかつｘシンボル以前の時点と最も近い有効ＴＴＩ、スロット、ミニスロット又はシンボルのうちの一つに定義される。第２タイミングセットは、ＣＳＩフィードバック時点からｘスロット以前の時点より先でありかつｘスロット以前の時点と最も近い有効ＴＴＩ、スロット、ミニスロット又はシンボルのうちの一つに定義される。ここで、有効ＴＴＩ、スロット、ミニスロット又はシンボルはＣＳＩ−ＲＳ（或いは端末がＣＳＩを測定するための他のＲＳ）を含むＴＴＩ、スロット、ミニスロット又はシンボルを意味する。第１タイミングセットは非スロット基盤のスケジューリングのためのものである。第２タイミングセットはスロット基盤のスケジューリングのためのものである。又は各要求事項に特定のタイミングセットが連動されることができる。グルーピングされた要求事項がある場合、要求事項のグループにタイミングセットが連動されることもできる。連動に関する情報は予め端末に設定されるか、又は物理層又は上位層信号により端末に指示される。非周期的ＣＳＩ報告の場合、タイミングセットに関する情報がＲＲＣ設定及び／又はＤＣＩ指示子に連動することができる。非周期的ＣＳＩ報告の場合、ＲＲＣ設定及び／又はＤＣＩ指示子がタイミングセットを指示することもできる。
【０２２３】
又はＣＳＩ参照リソースはＣＳＩ送信をトリガーしたＤＣＩが含まれているスロット、ミニスロット、シンボルである。ＣＳＩ参照リソースはＣＳＩ送信をトリガーしたＤＣＩから一定時間後に位置する複数のシンボルであることもできる。一定時間に関する情報は予め端末に定義されるか、又は物理層信号又は上位層信号により端末に指示される。
【０２２４】
互いに異なる要求事項に対するＭＣＳ／ＴＢＳ（ＭＣＳ／ＴＢＳ ｆｏｒ ｄｉｆｆｅｒｅｎｔ ｒｅｑｕｉｒｅｍｅｎｔｓ）
【０２２５】
互いに異なる要求事項を支援するために、端末には複数のＭＣＳテーブルが設定される。端末が複数のＭＣＳテーブルのうちのいずれかを使用するかを指示する。
【０２２６】
ＭＣＳテーブルはＰＤＳＣＨマッピングタイプによって異なる。ＰＤＳＣＨマッピングタイプＢはＵＲＬＬＣ以外の用途にも使用でき、時間ドメインリソース割り当てフィールドにＭＣＳテーブルが指示されることができる。時間ドメインリソース割り当てフィールドの指示テーブル内のエントリー（ｅｎｔｒｙ）に、どのＭＣＳテーブルを使用するかを指示する情報が追加される。どのＭＣＳテーブルを使用するかを指示する情報は、ターゲットＢＬＥＲに対するＭＣＳテーブル区分に使用される。２５６ＱＡＭ（Ｑｕａｄｒａｔｕｒｅ Ａｍｐｌｉｔｕｄｅ Ｍｏｄｕｌａｔｉｏｎ）の使用有無及び／又はｐｉ／２−ＢＰＳＫ（Ｂｉｎａｒｙ Ｐｈａｓｅ Ｓｈｉｆｔ Ｋｅｙｉｎｇ）の使用有無によって異なるＭＣＳテーブルが使用されるように指示する情報は、端末固有に上位層により送信される。例えば、端末がどのＱＡＭ（Ｑｕａｄｒａｔｕｒｅ Ａｍｐｌｉｔｕｄｅ Ｍｏｄｕｌａｔｉｏｎ）に関連するＭＣＳテーブルを使用するかを指示する情報は、端末が２５６ＱＡＭに関連するＭＣＳテーブルを使用するように指示する情報、又は端末が６４ＱＡＭ以下に関連するＭＣＳテーブルを使用するように指示する情報を含む。他の例として、２５６ＱＡＭに関連するＭＣＳテーブルは時間ドメインリソース割り当てフィールドがｅＭＢＢテーブルを使用すると指示された場合に限って使用されることもできる。
【０２２７】
サーチスペースの周期によって互いに異なるＭＣＳテーブルを使用するように規定することができる。サーチスペース設定（ｓｅａｒｃｈ ｓｐａｃｅ ｃｏｎｆｉｇｕｒａｔｉｏｎ）によりサーチスペースの周期によるＭＣＳテーブルが設定される。例えば、特定のサーチスペースについては基本ＭＣＳテーブルが使用される。具体的な例として、共通サーチスペース及び／又はＲＭＳＩ ＣＯＲＥＳＥＴ（ｒｅｍａｉｎｉｎｇ ｍｉｎｉｍｕｍ ｓｙｓｔｅｍ ｉｎｆｏｒｍａｔｉｏｎ ＣＯＲＥＳＥＴ、ＣＯＲＥＳＥＴ ｃｏｎｆｉｇｕｒｅｄ ｂｙ ＰＢＣＨ）のサーチスペースについてはｅＭＢＢ及び／又はＢＬＥＲ＝１０％のためのＭＣＳテーブルが使用される。
【０２２８】
ＤＣＩフォーマットごとに異なるＭＣＳテーブルを使用するように規定できる。
【０２２９】
データのスケジューリング単位及び／又はデータのスケジューリング時間区間によってＭＣＳテーブルが異なるように定義される。データのスケジューリング単位及び／又はデータのスケジューリング時間区間ごとのＭＣＳテーブルが予め暗黙的に（ｉｍｐｌｉｃｉｔｌｙ）設定されることができる。又は時間ドメインリソース割り当てフィールドに含まれた指示テーブルに、どのＭＣＳテーブルを使用するかに関する指示を含む行（ｒｏｗ）が含まれることができる。時間ドメインリソース割り当てフィールドのビットサイズが特定値以下であると、ＵＲＬＬＣのためのＭＣＳテーブルを使用するように規定できる。例えば、ＤＣＩに基づく時間ドメインリソース割り当て（ｒｅｓｏｕｒｃｅ ａｌｌｏｃａｔｉｏｎ；ＲＡ）が行われない場合、端末がＵＲＬＬＣのためのＭＣＳテーブルが使用されることができる。端末は、ＵＲＬＬＣでは割り当てられた時間ドメインリソースが流動的ではないと仮定することができる。
【０２３０】
ＭＣＳ値のセットは予め定義されることができる。ＭＣＳ値のセットが端末に物理層又は上位層信号により設定されることもできる。又は複数のＭＣＳテーブルが一つのＭＣＳテーブル形態で定義されることもできる。複数のＭＣＳテーブルは共通のＭＣＳエントリーを含む。ＤＣＩによりＭＣＳオフセットが指示されることもできる。ＭＣＳオフセットのためにＤＣＩ内の別のフィールドが設定されることもでき、時間ドメインリソース割り当てフィールドに連動することもできる。端末はＭＣＳフィールドとＭＣＳオフセット値を組み合わせてＭＣＳを選択する。端末はＤＣＩフィールド値を組み合わせてＭＣＳを選択することもできる。新しく定義されたＭＣＳは既存のＭＣＳに一部の状態（ｓｔａｔｅ）が追加される程度である。追加される状態は最低ＭＣＳに関連する。既存のＭＣＳにおいて一部の状態が追加される程度であれば、ＤＣＩフィールド値の組み合わせ（例えば、ＲＡがｆｕｌｌ）でＭＣＳを表現できる。例えば、全体ＭＣＳテーブルのエントリー（又はインデックス）が０からＮ−１までのＮ個で構成されることができる。基本的には、端末はＮ−Ｍ−１（Ｍ＜Ｎ）からＮ−１までのＭ個のＭＣＳエントリーを使用するように設定できる。さらに端末は特定フィールドの組み合わせで表現されたオフセットにより基本設定にもかかわらず、０からＭ−１まで又はオフセット値からＭ＋オフセット値−１までを使用するように設定できる。端末は特定のフィールドの組み合わせを解釈してオフセット値を導き出すことができる。
【０２３１】
各要求事項ごとに異なるＲＮＴＩが端末に付与される。グルーピングされた要求事項がある場合、要求事項のグループごとに異なるＲＮＴＩが端末に付与されることもできる。要求事項の例として、上述した信頼度要求事項、遅延要求事項、ターゲットＢＬＥＲ、サービスタイプ、ＴＴＩ長、ニューマロロジー及び／或いはプロセシング時間のうちのいずれか一つが含まれる。端末は、受信したチャネルに関連するＲＮＴＩを確認し、確認されたＲＮＴＩに基づいて使用するＭＣＳテーブルを決定する。
【０２３２】
例えば、端末には上位層信号（例えば、ＲＲＣ ｓｉｇｎａｌ）により複数のＭＣＳテーブルが設定される。又は複数のＭＣＳテーブルが端末に予め定義されることができる。
【０２３３】
上述したように、ＰＤＣＣＨはＰＵＳＣＨ又はＰＤＳＣＨのスケジューリングに使用される。データチャネルのスケジューリングのためのＰＤＣＣＨをマスキング及び／又はＣＲＣスクランブルするＲＮＴＩは、チャネルごとの要求事項に基づいて決定される。例えば、特定のチャネルに対して求められるＢＬＥＲによって、該当特定のチャネルをスケジュールするＰＤＣＣＨをＣＲＣマスキング及び／又はスクランブルするＲＮＴＩが変化する。ＢＬＥＲが１０％であるチャネルとＢＬＥＲが０.０００１％であるチャネルのＲＮＴＩは互いに異なるように決定される。基地局は、ＢＬＥＲが１０％であるチャネルをスケジュールするためのＰＤＣＣＨのＣＲＣスクランブルに使用されるＲＮＴＩとＢＬＥＲが０.０００１％であるチャネルをスケジュールするためのＰＤＣＣＨのＣＲＣスクランブルに使用されるＲＮＴＩを各々異なるように設定する。ＲＮＴＩは既存のシステムに定義されているＲＮＴＩである。又はＲＮＴＩはＭＣＳテーブル設定のために新しく定義されたＲＮＴＩである。新しく定義されたＲＮＴＩの名称はＭＣＳ−Ｃ−ＲＮＴＩ（ＭＣＳ−Ｃｅｌｌ−ＲＮＴＩ）である。基地局は、定義されたＲＮＴＩを特定の端末のためのＲＮＴＩとして設定して特定の端末に付与する。端末には、基地局から受信したＲＮＴＩが設定される。
【０２３４】
端末はＰＤＳＣＨ又はＰＵＳＣＨをスケジュールするためのＰＤＣＣＨを受信する。端末はＰＤＣＣＨがどのＲＮＴＩにＣＲＣマスキング及び／又はＣＲＣスクランブルされたかを確認する。
【０２３５】
端末が確認したＲＮＴＩには対応するＭＣＳテーブルが設定される。端末は、確認したＲＮＴＩに基づいて、ＰＤＣＣＨがスケジュールしたＰＤＳＣＨの受信時又はＰＵＳＣＨの送信時に使用するＭＣＳテーブルを決定する。ＭＣＳ−Ｃ−ＲＮＴＩによりＣＲＣスクランブルされたＰＤＣＣＨがスケジュールするチャネルと、他のＲＮＴＩによりＣＲＣスクランブルされたＰＤＣＣＨがスケジュールするチャネルのＢＬＥＲは互いに異なり、これによりＢＬＥＲが互いに異なる２個のチャネルは使用されるＭＣＳテーブルが互いに異なる。ＭＣＳテーブルに関連して新しく定義されたＲＮＴＩが端末に設定されたか否か、又は特定のチャネルに関連するＲＮＴＩが端末に設定されたか否かをさらに考慮することができる。
【０２３６】
端末は、受信したＰＤＣＣＨがＭＣＳ−Ｃ−ＲＮＴＩにＣＲＣスクランブルされた場合は第１ＭＣＳテーブルを、そうではない場合は第２ＭＣＳテーブルを使用するように設定される。又は端末は、受信したＰＤＣＣＨがＭＣＳ−Ｃ−ＲＮＴＩにＣＲＣスクランブルされた場合は第１ＭＣＳテーブルを、受信したＰＤＣＣＨがＣ−ＲＮＴＩ（Ｃｅｌｌ−ＲＮＴＩ）やＣＳ−ＲＮＴＩ（Ｃｏｎｆｉｇｕｒｅｄ ｓｃｈｅｄｕｌｉｎｇ−ＲＮＴＩ）にＣＲＣスクランブルされた場合には第２ＭＣＳテーブルを、そうではない場合は第３ＭＣＳテーブルを使用するように設定される。又は、さらに追加条件（例えば、端末がどのＱＡＭに関連するＭＣＳテーブルを使用するかを指示する情報、ＤＣＩフォーマット及び／又はＰＤＳＣＨ（又はＰＵＳＣＨ）の繰り返し送信有無及び繰り返し送信設定の種類など）が考慮されることもできる。端末は一つのＲＮＴＩについても、更なる第１条件を満たすと第１ＭＣＳテーブルを使用し、更なる第２条件を満たすと第２ＭＣＳテーブルを使用するように設定される。又は端末は、受信したＰＤＣＣＨがＭＣＳ−Ｃ−ＲＮＴＩにＣＲＣスクランブルされた場合は第１ＭＣＳテーブルを使用するように設定され、受信したＰＤＣＣＨがＣＳ−ＲＮＴＩにＣＲＣスクランブルされて更なる第１条件を満たすと第２ＭＣＳテーブルを使用し、受信したＰＤＣＣＨがＣＳ−ＲＮＴＩにＣＲＣスクランブルされて更なる第２条件を満たすと第１ＭＣＳテーブルを使用するように設定されることもできる。
【０２３７】
表１３乃至表１７は端末が使用可能なＭＣＳテーブルの例を示す。
【０２３８】
【表１３】
0006940684.tif 000035
【０２３９】
【表１４】
0006940684.tif 000036
【０２４０】
【表１５】
0006940684.tif 000037
【０２４１】
【表１６】
0006940684.tif 000038
【０２４２】
【表１７】
0006940684.tif 000039
【０２４３】
端末は、ＰＤＳＣＨ受信又はＰＵＳＣＨ送信に使用される変調次数（ｍｏｄｕｌａｔｉｏｎ ｏｒｄｅｒ；Ｑｍ）及びターゲットコード率（ｔａｒｇｅｔ ｃｏｄｅ ｒａｔｅ；Ｒ）を決定するために、ＰＤＣＣＨを介して受信したＤＣＩに含まれたＭＣＳフィールド（ＩＭＣＳ）及び決定されたＭＣＳテーブルを使用する。端末は、決定されたＭＣＳテーブルからＭＣＳフィールドにより指示されたＭＣＳインデックスを選択する。端末は、選択されたＭＣＳインデックスに基づいてＰＤＳＣＨを復号及び／又は復調する。端末は、選択されたＭＣＳインデックスに基づいてＰＵＳＣＨを符号化及び／又は変調する。
【０２４４】
なお、データチャネルスケジューリングのための制御チャネルのＣＲＣ（例えば、Ｘビット）及び端末識別子（例えば、ＹビットのＲＮＴＩ）の間でビット数に差があり得る。端末識別子のビット数がＣＲＣより小さい場合（例えば、Ｘ＞Ｙ）、この差に該当するビット（Ｘ−Ｙビット）の一部又は全部が、端末が使用するＭＣＳテーブルの指示に使用されることができる。又は差に該当するビットの一部又は全部が、ＭＣＳオフセット値を指示する時に使用されることができる。差に該当するビットの一部又は全部は、端末が使用するＣＱＩテーブル及びＣＱＩオフセット値を全て指示するために使用されることもできる。
【０２４５】
互いに異なる要求事項に対するＣＳＩ報告（ＣＳＩ ｒｅｐｏｒｔｉｎｇ ｆｏｒ ｄｉｆｆｅｒｅｎｔ ｒｅｑｕｉｒｅｍｅｎｔｓ）
【０２４６】
互いに異なる要求事項に対するＣＳＩ参照リソースに基づいて、ＣＳＩが一つのチャネルで報告されることができる。例えば、ＣＳＩプロセスごとに異なるターゲットＢＬＥＲが設定され、端末は異なるターゲットＢＬＥＲを有する複数のＣＳＩプロセスに対するＣＳＩを一つのチャネルで報告することができる。
【０２４７】
一つのチャネルでＣＳＩが報告される時、ＣＳＩが報告されるチャネルの要求事項によってＣＳＩ報告有無が異なる。例えば、ターゲットＢＬＥＲが０.００１％であるＰＵＳＣＨを介してＣＳＩが報告される時、端末はターゲットＢＬＥＲが０.００１％であるＣＳＩプロセスに対するＣＳＩのみを報告する。ターゲットＢＬＥＲが１０％であるＰＵＳＣＨを介してＣＳＩが報告される時は、端末はトリガーされた全てのＣＳＩプロセスに対するＣＳＩを報告する。端末は、ＣＳＩが報告されるチャネルより厳しくない要求事項を有するＣＳＩプロセスに対するＣＳＩをＣＳＩが報告されるチャネルに含めることができる。
【０２４８】
ＣＳＩプロセスの要求事項によってＣＳＩが報告されるチャネルが異なることができる。例えば、ターゲットＢＬＥＲが０.００１％であるＣＳＩプロセスに対するＣＳＩ報告は、ターゲットＢＬＥＲが０.００１％であるＰＵＳＣＨを介して報告される。ターゲットＢＬＥＲが１０％であるＣＳＩプロセスに対するＣＳＩ報告は、ターゲットＢＬＥＲが１０％であるＰＵＳＣＨを介して報告される。ターゲットＢＬＥＲが１０％に対するＣＳＩプロセスがターゲットＢＬＥＲが０.００１％であるＰＵＳＣＨを介して報告されるようにスケジュールされた場合であっても、スケジュールされたＰＵＳＣＨとは異なるセル／ＴＴＩで送信されるチャネルでＣＳＩ報告が行われることができる。特定の要求事項を有するＣＳＩ参照リソースを含むＣＳＩ（プロセス）が、他のセル／ＴＴＩで送信されるチャネルにも含まれない場合には、ＣＳＩ（プロセス）がドロップされるように規定することができる。
【０２４９】
ＣＳＩ報告を含むチャネルが繰り返して送信されるように設定できる（ｔｉｍｅ ｒｅｐｅｔｉｔｉｏｎ、複数のＴＴＩにわたって同一のリソースブロックが繰り返して送信される）。各要求事項を有するＣＳＩ参照リソースごとに、ＣＳＩ参照リソースを含むＣＳＩ（プロセス）が繰り返し送信中のチャネルに含まれて送信されるか否かが決定される。ＣＳＩ（プロセス）はチャネルが繰り返し送信される度に共に繰り返されて送信される。ＣＳＩ（プロセス）は、繰り返し送信中のチャネルと特定の回数だけ共に繰り返されて送信される。例えば、ターゲットＢＬＥＲが０.００１％であるＣＳＩプロセスに対するＣＳＩ報告は、繰り返し送信中のチャネルが送信される度に共に繰り返されて送信され、ターゲットＢＬＥＲが１０％であるＣＳＩプロセスに対するＣＳＩ報告は、繰り返し送信中のチャネルのうち、１番目の送信（又は指示／設定された特定の送信）のみに含まれる。
【０２５０】
異なる要求事項を有するＳＰＳ（ＳＰＳ ｗｉｔｈ ｄｉｆｆｅｒｅｎｔ ｒｅｑｕｉｒｅｍｅｎｔｓ）
【０２５１】
ＳＰＳ（ｓｅｍｉ−ｐｅｒｓｉｓｔｅｎｔ ｓｃｈｅｄｕｌｉｎｇ）の場合、端末に上位層信号によりデータチャネルを繰り返して送信するための周期が設定される。端末はＳＰＳ設定が解除（ｒｅｌｅａｓｅ）されるまでは、別のリソース設定のためのＤＣＩがなくてもデータチャネルを送受信することができる。繰り返し送信されるデータチャネルの各々のリソースをスケジュールするためのＤＣＩが存在しないので、データチャネルの要求事項に関する情報を端末に知らせるための方式が提案される。
【０２５２】
各要求事項ごとに別々のＳＰＳリソースが設定される。ＳＰＳの設定時、該当ＳＰＳ設定に対する要求事項が共に設定される。予め設定されたリソースで（又は周期的に）データチャネルが各々のスケジューリングＤＣＩ無しに送信されると、ＳＰＳ設定がなくても同じ内容が適用されることができる。
【０２５３】
複数のＳＰＳ設定により送信されるデータチャネルは特定区間で重畳する。特定区間でデータチャネルが重畳する場合、ＳＰＳ設定の要求事項の優先順位によって送信されるデータチャネルが決定される。例えば、高い信頼度、低い遅延、低いＢＬＥＲ、短いＴＴＩ長、大きい副搬送波間隔、短いプロセシング時間が設定されたＳＰＳ設定関連データチャネルが送信され、相対的に低い優先順位のＳＰＳ設定関連データチャネルは送信がドロップされることもできる。
【０２５４】
ＳＰＳ送信の送信信頼度要求事項、遅延要求事項、ターゲットＢＬＥＲ要求事項及び／又はサービスタイプのうちのいずれかが、ＴＴＩ長、ニューマロロジー、プロセシング時間及び／又は送信周期のうちのいずれかに連動することができる。ＳＰＳ基盤のデータチャネルのＴＴＩ長、ニューマロロジー、プロセシング時間及び／又は送信周期のうちのいずれかが設定されると、ＳＰＳ送信の送信信頼度要求事項、遅延要求事項、ターゲットＢＬＥＲ要求事項及び／又はサービスタイプのうちのいずれかが暗黙的に決定される。
【０２５５】
又は一つ以上の要求事項に関する情報が、ＳＰＳを活性化するための物理信号（Ｌ１ ｓｉｇｎａｌｉｎｇ、例えば、ＰＤＣＣＨ）に含まれて送信されることができる。ＳＰＳ基盤のデータチャネル送信を活性化するためのＬ１シグナリング内の特定フィールド（又は新しく定義される一つ以上のフィールド）の特定の状態（ｓｔａｔｅ）を組み合わせて、一つ以上の要求事項に関する情報が表現される。
【０２５６】
ｓＴＴＩのための端末能力関連ＣＳＩ更新／演算（ＣＳＩ ｕｐｄａｔｅ／ｃａｌｃｕｌａｔｉｏｎ ｒｅｌａｔｅｄ ｃａｐａｂｉｌｉｔｙ ｆｏｒ ｓＴＴＩ）
【０２５７】
端末は端末能力をネットワークに報告する。端末がネットワークに報告する端末能力には端末の最大同時ＣＳＩ更新／演算能力が含まれる。ｓＴＴＩに関連する動作時、プロセシング時間は下りリンク／上りリンクＴＴＩ長の組み合わせ（ＤＬ＆ＵＬ ＴＴＩ ｌｅｎｇｔｈ Ｃｏｍｂｉｎａｔｉｏｎ）によって変化し、プロセシング時間の変化によって端末が同時に行えるＣＳＩ更新／演算能力が変わる。例えば、ｓＴＴＩに関連する動作時、ＰＤＳＣＨの受信からＨＡＲＱ−ＡＣＫの送信までの時間差（ＰＤＳＣＨ ｔｏ ＨＡＲＱ−ＡＣＫ ｔｒａｎｓｍｉｓｓｉｏｎ ｔｉｍｉｎｇ ｇａｐ）及び／又は上りリンクグラントの受信からＰＵＳＣＨの送信までの時間差（ＵＬ ｇｒａｎｔ ｒｅｃｅｐｔｉｏｎ ｔｏ ＰＵＳＣＨ ｔｒａｎｓｍｉｓｓｉｏｎ ｔｉｍｉｎｇ ｇａｐ）が、下りリンク／上りリンクＴＴＩ長の組み合わせによって変化する。端末は、下りリンク／上りリンクＴＴＩ長の組み合わせ、プロセシング時間、最大ＴＡ値（ｍａｘｉｍｕｍ Ｔｉｍｉｎｇ Ａｄｖａｎｃｅ ｖａｌｕｅ）、ｓＰＤＣＣＨ ＲＳタイプ（ｓｈｏｒｔ ＰＤＣＣＨ Ｒｅｆｅｒｅｎｃｅ Ｓｉｇｎａｌ ｔｙｐｅ）及び／又はｓＰＤＣＣＨシンボル数のうちのいずれか一つを組み合わせて、各組み合わせごとに自分が同時に行えるＣＳＩ更新／演算能力についてネットワークに報告する。ＣＳＩ更新／演算能力は、セル単位及び／又はＣＳＩプロセス単位で報告できる。端末は、下りリンク／上りリンクＴＴＩ長の組み合わせ、プロセシング時間、最大ＴＡ値、ｓＰＤＣＣＨ ＲＳタイプ及び／又はｓＰＤＣＣＨシンボル数のうちのいずれか一つを組み合わせて、各組み合わせごとに自分が同時に行える最大のＣＳＩ報告個数に関する能力情報をネットワークに報告することもできる。端末の能力報告は周波数帯域ごとに行われる。端末の能力報告は周波数バンドの組み合わせごとに行われることもできる。周波数帯域や周波数バンドの組み合わせごとに、端末の能力報告規則が異なることもできる。端末には、自分が報告したＣＳＩ更新／演算能力以上のセル及び／又はＣＳＩプロセスを超える更新／演算が指示されない。
【０２５８】
例えば、端末は下りリンク／上りリンクＴＴＩ長の組み合わせごとに更新可能なＣＳＩプロセスの最大個数を示す情報をネットワークに送信する。各々の組み合わせについて更新可能なＣＳＩプロセスの最大個数を示す情報を表すためのパラメータ／指示子が設定される。端末は全ての組み合わせに関する情報を共にネットワークに報告するか、又は一部の組み合わせ情報のみをネットワークに報告する。下りリンク／上りリンクＴＴＩ長の組み合わせは、以下の表１８のように構成される。
【０２５９】
【表１８】
0006940684.tif 000040
【０２６０】
ＤＬ／ＵＬ組み合わせが{Ｓｌｏｔ、Ｓｌｏｔ}であると、Ｃｏｍｂ７７と称される。ＤＬ／ＵＬ組み合わせが{Ｓｕｂｓｌｏｔ、Ｓｌｏｔ}であると、Ｃｏｍｂ２７と称される。ＤＬ／ＵＬ組み合わせが{Ｓｕｂｓｌｏｔ、Ｓｕｂｓｌｏｔ}であると、Ｃｏｍｂ２２と称される。
【０２６１】
Ｃｏｍｂ２２に対しては２セットのプロセシングタイムライン（ｐｒｏｃｅｓｓｉｎｇ ｔｉｍｅｌｉｎｅ）が設定される。各セットは最大ＴＡ（ｔｉｍｉｎｇ ａｄｖａｎｃｅ）の側面で互いに異なるプロセシングタイムラインを有する。プロセシングタイムラインのセット１については、最小プロセシングタイムラインがｎ＋４又はｎ＋６に定められる。プロセシングタイムラインのセット２については、最小プロセシングタイムラインがｎ＋６又はｎ＋８に定められる。プロセシングタイムラインのセットごとのＴＡ値の範囲は以下の表１９の通りである。
【０２６２】
【表１９】
0006940684.tif 000041
【０２６３】
端末は、Ｃｏｍｂ７７、Ｃｏｍｂ２７、Ｃｏｍｂ２２のプロセシングタイムラインセット１（Ｃｏｍｂ２２−Ｓｅｔ１）、Ｃｏｍｂ２２のプロセシングタイムラインセット２（Ｃｏｍｂ２２−Ｓｅｔ２）の４個の組み合わせの各々に対して、更新可能なＣＳＩプロセスの最大個数を示す情報をネットワークにより送信する。４個の組み合わせの各々に対して更新可能なＣＳＩプロセスの最大個数を示す情報を表すための４個のパラメータ／指示子が設定される。更新可能なＣＳＩプロセスの最大個数は１以上３２以下の値に設定される。
【０２６４】
端末の端末能力報告は基地局の要求により行われる。基地局の要求を受信した端末は、４個の組み合わせに対する４個のパラメータ／指示子を端末能力として報告する。端末能力をネットワークに報告した端末は、ネットワークから自分が報告した端末能力を超えるＣＳＩプロセス更新指示が送信されないと期待する。
【０２６５】
図１０は本発明の実施例による信号送受信方法を示す概念図である。
【０２６６】
図１０を参照すると、本発明の実施例は、ＭＣＳに関連するＲＮＴＩを設定する段階（Ｓ１００１）、上りリンクデータチャネルの送信又は下りリンクデータチャネルの受信をスケジュールするための制御チャネルを受信する段階（Ｓ１００３）、及び複数のＭＣＳテーブルのうち、一つのＭＣＳテーブルに基づいて、制御チャネルによりスケジュールされた上りリンクデータチャネルを送信するか又は下りリンクデータチャネルを受信する段階（Ｓ１００５）を含む。
【０２６７】
特に、一つのＭＣＳテーブルは、ＭＣＳに関連するＲＮＴＩ及び制御チャネルに関連するＲＮＴＩに基づいて決定される。一つのＭＣＳテーブルは、上位層シグナリングにより受信された、端末がどのＱＡＭに関連するＭＣＳテーブルを使用するかに関する情報をさらに考慮して決定される。
【０２６８】
さらに本発明の実施例は、ネットワークに端末能力情報を送信する段階を含む。端末能力情報は、下りリンク／上りリンクＴＴＩ長の各組み合わせごとに、更新可能なＣＳＩプロセス数に関する情報を含む。下りリンク／上りリンクＴＴＩ長の各組み合わせごとに、更新可能なＣＳＩプロセス数に関する情報は、下りリンク／上りリンクＴＴＩ長の組み合わせがスロット／スロットである場合に対するＣＳＩプロセス数を示す第１指示子、下りリンク／上りリンクＴＴＩ長の組み合わせがサブスロット／スロットである場合に対するＣＳＩプロセス数を示す第２指示子、下りリンク／上りリンクＴＴＩ長の組み合わせがサブスロット／サブスロットであり、第１プロセシング時間が設定された場合に対するＣＳＩプロセス数を示す第３指示子、及び下りリンク／上りリンクＴＴＩ長の組み合わせがサブスロット／サブスロットであり、第２プロセシング時間が設定された場合に対するＣＳＩプロセス数を示す第４指示子を含む。これらの動作に加えて、本発明の各実施例で提案した動作のうちのいずれかが組み合わせられて行われることもできる。
【０２６９】
上述した提案方式に関する一例も本発明の具現化方法の一つとして含まれることができ、一種の提案方式として見なされることができる。上記提案方式は独立して具現化するか、又は一部提案方式の組み合わせ（又は併合）の形態で具現化することができる。上記提案方法の適用有無に関する情報（又は提案方法の規則に関する情報）は、基地局が端末に予め定義されたシグナル（例えば、物理層シグナル或いは上位層シグナル）により知らせるように規定できる。
【０２７０】
装置構成
【０２７１】
図１１は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０２７２】
メモリ１２，２２は、プロセッサー１１，２１の処理及び制御のためのプログラムを格納することができ、入力／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ（ｃｏｎｔｒｏｌｌｅｒ）、マイクロコントローラ（ｍｉｃｒｏｃｏｎｔｒｏｌｌｅｒ）、マイクロプロセッサー（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサー１１，２１は、ハードウェア（ｈａｒｄｗａｒｅ）又はファームウェア（ｆｉｒｍｗａｒｅ）、ソフトウェア、又はこれらの結合によって具現化されてもよい。ハードウェアを用いて本発明を具現化する場合は、本発明を実行するように構成されたＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）などがプロセッサー１１，２１に設けられてもよい。一方、ファームウェアやソフトウェアを用いて本発明を具現化する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０２７３】
送信装置１０におけるプロセッサー１１は、プロセッサー１１又はプロセッサー１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信機／受信機１３に送信する。例えば、プロセッサー１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックであるトランスポートブロックと等価である。一トランスポートブロック（ｔｒａｎｓｐｏｒｔ ｂｌｏｃｋ，ＴＢ）は一コードワードに符号化され、各コードワードは一つ以上のレイヤの形態で受信装置に送信される。周波数上り変換のために送信機／受信機１３はオシレータ（ｏｓｃｉｌｌａｔｏｒ）を含むことができる。送信機／受信機１３はＮｔ個（Ｎｔは１以上の正の整数）の送信アンテナを含むことができる。
【０２７４】
受信装置２０の信号処理過程は、送信装置１０の信号処理過程の逆となる。プロセッサー２１の制御の下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して（ｆｒｅｑｕｅｎｃｙ ｄｏｗｎ−ｃｏｎｖｅｒｔ）基底帯域信号に復元する。送信機／受信機２３は、周波数下り変換のためにオシレータを含むことができる。プロセッサー２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２７５】
送信機／受信機１３，２３は一つ以上のアンテナを具備する。アンテナは、プロセッサー１１，２１の制御の下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号（ｒｅｆｅｒｅｎｃｅ ｓｉｇｎａｌ，ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する複数入出力（Ｍｕｌｔｉ−Ｉｎｐｕｔ Ｍｕｌｔｉ−Ｏｕｔｐｕｔ、ＭＩＭＯ）機能を支援する送信機／受信機の場合は２個以上のアンテナに接続されてもよい。
【０２７６】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０２７７】
送信装置及び／又は受信装置は、上述した本発明の実施例のうちの少なくとも一つ又は２つ以上の実施例の組み合わせを実行することができる。
【０２７８】
上述したように開示された本発明の好適な実施例に関する詳細な説明は、当業者が本発明を具現化して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２７９】
上述したように、本発明は様々な無線通信システムに適用することができる。
【図１】
0006940684.tif 000042
【図２】
0006940684.tif 000043
【図３】
0006940684.tif 000044
【図４】
0006940684.tif 000045
【図５】
0006940684.tif 000046
【図６】
0006940684.tif 000047
【図７】
0006940684.tif 000048
【図８】
0006940684.tif 000049
【図９】
0006940684.tif 000050
【図１０】
0006940684.tif 000051
【図１１】
0006940684.tif 000052